(57)【特許請求の範囲】
【請求項１】
無線通信システムにおいて端末で制御チャンネルを受信する方法であって、
前記方法は、
単一のコンポーネントキャリアを介して、複数のサーチスペースを含むサブフレームを受信することであって、各サーチスペースは、それぞれのＣＩＦ（Ｃａｒｒｉｅｒ  Ｉｎｄｉｃａｔｏｒ  Ｆｉｅｌｄ）値により指示されるそれぞれのキャリアに対して構成されている、ことと、
前記複数のサーチスペース内のＰＤＣＣＨ（Ｐｈｙｓｉｃａｌ  Ｄｏｗｎｌｉｎｋ  Ｃｏｎｔｒｏｌ  Ｃｈａｎｎｅｌ）候補をモニタリングすることと
を含み、
前記ＰＤＣＣＨ候補は、ＤＣＩ（Ｄｏｗｎｌｉｎｋ  Ｃｏｎｔｒｏｌ  Ｉｎｆｏｒｍａｔｉｏｎ）フォーマットサイズに対する２つ以上のＣＩＦ値に対応し、
前記ＤＣＩフォーマットサイズを有する前記ＰＤＣＣＨ候補のうちの１つは、前記ＤＣＩフォーマットサイズに対する前記２つ以上のＣＩＦ値のうちのいずれかに対応するいずれかのサーチスペースにおいてモニタリングされる、方法。
【請求項２】
前記ＰＤＣＣＨ候補の各々は、さらに、識別子によってスクランブルされたＣＲＣ（Ｃｙｃｌｉｃ  Ｒｅｄｕｎｄａｎｃｙ  Ｃｈｅｃｋ）を含む、請求項１に記載の方法。
【請求項３】
前記識別子は、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を含む、請求項２に記載の方法。
【請求項４】
無線通信システムにおいて基地局で伝送する方法であって、
前記方法は、
ＰＤＣＣＨ（Ｐｈｙｓｉｃａｌ  Ｄｏｗｎｌｉｎｋ  Ｃｏｎｔｒｏｌ  Ｃｈａｎｎｅｌ）候補を生成することであって、前記ＰＤＣＣＨ候補の各々は、ＤＣＩ（Ｄｏｗｎｌｉｎｋ  Ｃｏｎｔｒｏｌ  Ｉｎｆｏｒｍａｔｉｏｎ）フォーマットサイズに対する２つ以上のＣＩＦ（Ｃａｒｒｉｅｒ  Ｉｎｄｉｃａｔｏｒ  Ｆｉｅｌｄ）値に対応する、ことと、
単一のコンポーネントキャリアのサブフレーム内の複数のサーチスペースを介して前記ＰＤＣＣＨ候補を伝送することであって、各サーチスペースは、それぞれのＣＩＦ値により指示されるそれぞれのコンポーネントキャリアに対して構成されている、ことと
を含み、
前記ＤＣＩフォーマットサイズを有する前記ＰＤＣＣＨ候補のうちの１つは、前記ＤＣＩフォーマットサイズに対する前記２つ以上のＣＩＦ値のうちのいずれかに対応するいずれかのサーチスペースにおいてモニタリングされる、方法。
【請求項５】
前記ＰＤＣＣＨ候補の各々は、さらに、識別子によってスクランブルされたＣＲＣ（Ｃｙｃｌｉｃ  Ｒｅｄｕｎｄａｎｃｙ  Ｃｈｅｃｋ）を含む、請求項４に記載の方法。
【請求項６】
前記識別子は、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を含む、請求項５に記載の方法。
【請求項７】
無線通信システムにおいて使用する端末であって、
前記端末は、
ＲＦ（Ｒａｄｉｏ  Ｆｒｅｑｕｅｎｃｙ）ユニットと、
プロセッサと
を含み、
前記プロセッサは、
単一のコンポーネントキャリアを介して、複数のサーチスペースを含むサブフレームを受信することであって、各サーチスペースは、それぞれのＣＩＦ（Ｃａｒｒｉｅｒ  Ｉｎｄｉｃａｔｏｒ  Ｆｉｅｌｄ）値により指示されるそれぞれのコンポーネントキャリアに対して構成されている、ことと、
前記複数のサーチスペース内のＰＤＣＣＨ（Ｐｈｙｓｉｃａｌ  Ｄｏｗｎｌｉｎｋ  Ｃｏｎｔｒｏｌ  Ｃｈａｎｎｅｌ）候補をモニタリングすることと
を実行するように構成されており、
前記ＰＤＣＣＨ候補の各々は、ＤＣＩ（Ｄｏｗｎｌｉｎｋ  Ｃｏｎｔｒｏｌ  Ｉｎｆｏｒｍａｔｉｏｎ）フォーマットサイズに対する２つ以上のＣＩＦ値に対応し、
前記ＤＣＩフォーマットサイズを有する前記ＰＤＣＣＨ候補のうちの１つは、前記ＤＣＩフォーマットサイズに対する前記２つ以上のＣＩＦ値のうちのいずれかに対応するいずれかのサーチスペースにおいてモニタリングされる、端末。
【請求項８】
前記ＰＤＣＣＨ候補の各々は、さらに、識別子によってスクランブルされたＣＲＣ（Ｃｙｃｌｉｃ  Ｒｅｄｕｎｄａｎｃｙ  Ｃｈｅｃｋ）を含む、請求項７に記載の端末。
【請求項９】
前記識別子は、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を含む、請求項８に記載の端末。
【請求項１０】
無線通信システムにおいて使用する基地局であって、
前記基地局は、
ＲＦ（Ｒａｄｉｏ  Ｆｒｅｑｕｅｎｃｙ）ユニットと、
プロセッサと
を含み、
前記プロセッサは、
ＰＤＣＣＨ（Ｐｈｙｓｉｃａｌ  Ｄｏｗｎｌｉｎｋ  Ｃｏｎｔｒｏｌ  Ｃｈａｎｎｅｌ）候補を生成することであって、前記ＰＤＣＣＨ候補の各々は、ＤＣＩ（Ｄｏｗｎｌｉｎｋ  Ｃｏｎｔｒｏｌ  Ｉｎｆｏｒｍａｔｉｏｎ）フォーマットサイズに対する２つ以上のＣＩＦ（Ｃａｒｒｉｅｒ  Ｉｎｄｉｃａｔｏｒ  Ｆｉｅｌｄ）値に対応する、ことと、
単一のコンポーネントキャリアのサブフレーム内の複数のサーチスペースを介して前記ＰＤＣＣＨ候補を伝送することであって、各サーチスペースは、それぞれのＣＩＦ値により指示されるそれぞれのコンポーネントキャリアに対して構成されている、ことと
を実行するように構成されており、
前記ＤＣＩフォーマットサイズを有する前記ＰＤＣＣＨ候補のうちの１つは、前記ＤＣＩフォーマットサイズに対する前記２つ以上のＣＩＦ値のうちのいずれかに対応するいずれかのサーチスペースにおいてモニタリングされる、基地局。
【請求項１１】
前記ＰＤＣＣＨ候補の各々は、さらに、識別子によってスクランブルされたＣＲＣ（Ｃｙｃｌｉｃ  Ｒｅｄｕｎｄａｎｃｙ  Ｃｈｅｃｋ）を含む、請求項１０に記載の基地局。
【請求項１２】
前記識別子は、Ｃ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）を含む、請求項１１に記載の基地局。
【発明の詳細な説明】
【技術分野】
【０００１】
本発明は、無線通信システム、具体的には、チャンネルブロッキングを回避するための方法及び装置に関するものである。
【背景技術】
【０００２】
無線通信システムは、音声やデータなどの多様な種類の通信サービスを提供するために広範囲に展開されている。一般に、無線通信システムは、可用のシステム資源（帯域幅、伝送パワーなど）を共有し、多重ユーザーとの通信をサポートできる多重接続システムである。多重接続システムの例としては、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ―ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。
【発明の概要】
【発明が解決しようとする課題】
【０００３】
本発明の目的は、キャリア・アグリゲーションをサポートする無線通信システムで制御チャンネルブロッキングを解消する方法及びこのための装置を提供することにある。本発明の他の目的は、制御チャンネルのブラインドデコーディングを効率的に行う方法及びこのための装置を提供することにある。本発明の更に他の目的は、制御チャンネルを効率的に伝送できるようにサーチスペースを構成する方法及びこのための装置を提供することにある。
【０００４】
本発明で達成しようとする技術的課題は、前記技術的課題に制限されず、言及していない他の技術的課題は、下記の記載から本発明の属する技術分野で通常の知識を有する者に明確に理解されるだろう。
【課題を解決するための手段】
【０００５】
本発明の第１の様相として、多重キャリアを使用する無線通信システムで端末が制御チャンネルを受信する方法において、複数のサーチスペースを受信し、それぞれのサーチスペースは複数の制御チャンネル候補を含み、それぞれのサーチスペースはそれぞれのキャリアに対応すること；及び前記制御チャンネルのために前記各制御チャンネル候補をモニタリングすることを含み、前記各制御チャンネル候補が二つ以上のサーチスペースにわたって同一の情報サイズを有する場合、前記制御チャンネルは前記二つ以上のサーチスペースのうちいずれを通しても受信できる方法が提供される。
【０００６】
本発明の第２の様相として、多重キャリアを使用する無線通信システムで制御チャンネルを受信するように構成された端末において、ＲＦ（Ｒａｄｉｏ  Ｆｒｅｑｕｅｎｃｙ）ユニット；及びプロセッサを含み、前記プロセッサは複数のサーチスペースを受信し、それぞれのサーチスペースは複数の制御チャンネル候補を含み、それぞれのサーチスペースはそれぞれのキャリアに対応し、前記制御チャンネルのために前記各制御チャンネル候補をモニタリングするように構成され、前記各制御チャンネル候補が二つ以上のサーチスペースにわたって同一の情報サイズを有する場合、前記制御チャンネルは前記二つ以上のサーチスペースのうちいずれを通しても受信できる端末が提供される。
【０００７】
望ましくは、前記各制御チャンネル候補が前記二つ以上のサーチスペースにわたって同一の情報サイズを有する場合、前記モニタリングは、前記同一の情報サイズを有する各制御チャンネル候補が前記二つ以上のサーチスペースのうちいずれを通しても受信できるという仮定の下で行われる。
【０００８】
望ましくは、前記同一の情報サイズを有する前記各制御チャンネル候補は、ＣＩＦ（Ｃａｒｒｉｅｒ  Ｉｎｄｉｃａｔｏｒ  Ｆｉｅｌｄ）値を用いて区分される。
【０００９】
望ましくは、前記各制御チャンネル候補が前記複数のサーチスペースにわたって互いに異なる情報サイズを有する場合、前記制御チャンネルは、前記制御チャンネルと関連したキャリアに対応する一つのサーチスペースを通してのみ受信される。
【００１０】
望ましくは、前記複数のサーチスペースは同一のキャリアを介して受信され、前記制御チャンネルは、関連したキャリアを指示するのに使用されるＣＩＦ（Ｃａｒｒｉｅｒ  Ｉｎｄｉｃａｔｏｒ  Ｆｉｅｌｄ）値を含む。
【００１１】
望ましくは、前記制御チャンネルは、ＲＮＴＩ（Ｒａｄｉｏ  Ｎｅｔｗｏｒｋ  Ｔｅｍｐｏｒａｒｙ  Ｉｄｅｎｔｉｆｉｅｒ）でＣＲＣ（Ｃｙｃｌｉｃ  Ｒｅｄｕｎｄａｎｃｙ  Ｃｈｅｃｋ）スクランブルされる。
【００１２】
望ましくは、前記複数のサーチスペースは端末特定サーチスペースである。
【００１３】
望ましくは、前記情報サイズはＤＣＩ（ｄｏｗｎｌｉｎｋ  ｃｏｎｔｒｏｌ  ｉｎｆｏｒｍａｔｉｏｎ）ペイロードサイズを含む。
【００１４】
望ましくは、前記モニタリングは、前記制御チャンネルのために前記各制御チャンネル候補をそれぞれデコーディングすることを含む。
【００１５】
望ましくは、前記各様相は、前記制御チャンネルによる動作を行うことをさらに含む。
【００１６】
本発明の第３の様相として、多重キャリアを使用する無線通信システムでネットワークノードが制御チャンネルを伝送する方法において、複数のサーチスペースを構成し、それぞれのサーチスペースは複数の制御チャンネル候補を含み、それぞれのサーチスペースはそれぞれのキャリアに対応すること；及び前記制御チャンネルを前記複数のサーチスペースを通して伝送することを含み、前記各制御チャンネル候補が二つ以上のサーチスペースにわたって同一の情報サイズを有する場合、前記制御チャンネルは前記二つ以上のサーチスペースのうちいずれを通しても伝送できる方法が提供される。
【００１７】
本発明の第４の様相として、多重キャリアを使用する無線通信システムで制御チャンネルを伝送するように構成されたネットワーク装置において、ＲＦ（Ｒａｄｉｏ  Ｆｒｅｑｕｅｎｃｙ）ユニット；及びプロセッサを含み、前記プロセッサは複数のサーチスペースを構成し、それぞれのサーチスペースは複数の制御チャンネル候補を含み、それぞれのサーチスペースはそれぞれのキャリアに対応し、前記制御チャンネルを前記複数のサーチスペースを通して伝送するように構成され、前記各制御チャンネル候補が二つ以上のサーチスペースにわたって同一の情報サイズを有する場合、前記制御チャンネルは前記二つ以上のサーチスペースのうちいずれを通しても伝送できるネットワーク装置が提供される。
【００１８】
望ましくは、前記各制御チャンネル候補が前記二つ以上のサーチスペースにわたって同一の情報サイズを有する場合、前記同一の情報サイズを有する各制御チャンネル候補は、前記二つ以上のサーチスペースのうちいずれを通しても伝送され得る。
【００１９】
望ましくは、前記同一の情報サイズを有する各制御チャンネル候補は、ＣＩＦ（Ｃａｒｒｉｅｒ  Ｉｎｄｉｃａｔｏｒ  Ｆｉｅｌｄ）値を用いて区分される。
【００２０】
望ましくは、前記各制御チャンネル候補が前記複数のサーチスペースにわたって互いに異なる情報サイズを有する場合、前記制御チャンネルは、前記制御チャンネルと関連したキャリアに対応する一つのサーチスペースを通してのみ伝送される。
【００２１】
望ましくは、前記複数のサーチスペースは同一のキャリアを介して伝送され、前記制御チャンネルは、関連したキャリアを指示するのに使用されるＣＩＦ（Ｃａｒｒｉｅｒ  Ｉｎｄｉｃａｔｏｒ  Ｆｉｅｌｄ）値を含む。
【００２２】
望ましくは、前記制御チャンネルは、ＲＮＴＩ（Ｒａｄｉｏ  Ｎｅｔｗｏｒｋ  Ｔｅｍｐｏｒａｒｙ  Ｉｄｅｎｔｉｆｉｅｒ）でＣＲＣ（Ｃｙｃｌｉｃ  Ｒｅｄｕｎｄａｎｃｙ  Ｃｈｅｃｋ）スクランブルされる。
【００２３】
望ましくは、前記複数のサーチスペースは端末特定サーチスペースである。
【００２４】
望ましくは、前記情報サイズはＤＣＩ（ｄｏｗｎｌｉｎｋ  ｃｏｎｔｒｏｌ  ｉｎｆｏｒｍａｔｉｏｎ）ペイロードサイズを含む。
（項目１）
多重キャリアを使用する無線通信システムで端末が制御チャンネルを受信する方法において、
複数のサーチスペースを受信し、それぞれのサーチスペースは複数の制御チャンネル候補を含み、それぞれのサーチスペースはそれぞれのキャリアに対応すること；及び
前記制御チャンネルのために前記各制御チャンネル候補をモニタリングすることを含み、
前記各制御チャンネル候補が二つ以上のサーチスペースにわたって同一の情報サイズを有する場合、前記制御チャンネルは前記二つ以上のサーチスペースのうちいずれを通しても受信され得る方法。
（項目２）
前記各制御チャンネル候補が前記二つ以上のサーチスペースにわたって同一の情報サイズを有する場合、前記モニタリングは、前記同一の情報サイズを有する各制御チャンネル候補が前記二つ以上のサーチスペースのうちいずれを通しても受信され得るという仮定の下で行われる、項目１に記載の方法。
（項目３）
前記同一の情報サイズを有する前記各制御チャンネル候補はＣＩＦ（Ｃａｒｒｉｅｒ  Ｉｎｄｉｃａｔｏｒ  Ｆｉｅｌｄ）値を用いて区分される、項目２に記載の方法。
（項目４）
前記各制御チャンネル候補が前記複数のサーチスペースにわたって互いに異なる情報サイズを有する場合、前記制御チャンネルは前記制御チャンネルと関連したキャリアに対応する一つのサーチスペースを通してのみ受信される、項目１に記載の方法。
（項目５）
前記複数のサーチスペースは同一のキャリアを介して受信され、前記制御チャンネルは関連したキャリアを指示するのに使用されるＣＩＦ（Ｃａｒｒｉｅｒ  Ｉｎｄｉｃａｔｏｒ  Ｆｉｅｌｄ）値を含む、項目１に記載の方法。
（項目６）
前記制御チャンネルはＲＮＴＩ（Ｒａｄｉｏ  Ｎｅｔｗｏｒｋ  Ｔｅｍｐｏｒａｒｙ  Ｉｄｅｎｔｉｆｉｅｒ）でＣＲＣ（Ｃｙｃｌｉｃ  Ｒｅｄｕｎｄａｎｃｙ  Ｃｈｅｃｋ）スクランブルされた、項目１に記載の方法。
（項目７）
前記複数のサーチスペースは端末特定サーチスペースである、項目１に記載の方法。
（項目８）
前記情報サイズはＤＣＩ（ｄｏｗｎｌｉｎｋ  ｃｏｎｔｒｏｌ  ｉｎｆｏｒｍａｔｉｏｎ）ペイロードサイズを含む、項目１に記載の方法。
（項目９）
前記モニタリングは、前記制御チャンネルのために前記各制御チャンネル候補をそれぞれデコーディングすることを含む、項目１に記載の方法。
（項目１０）
前記制御チャンネルによる動作を行うことをさらに含む、項目１に記載の方法。
（項目１１）
多重キャリアを使用する無線通信システムで制御チャンネルを受信するように構成された端末において、
ＲＦ（Ｒａｄｉｏ  Ｆｒｅｑｕｅｎｃｙ）ユニット；及び
プロセッサを含み、
前記プロセッサは、複数のサーチスペースを受信し、それぞれのサーチスペースは複数の制御チャンネル候補を含み、それぞれのサーチスペースはそれぞれのキャリアに対応し、前記制御チャンネルのために前記各制御チャンネル候補をモニタリングするように構成され、
前記各制御チャンネル候補が二つ以上のサーチスペースにわたって同一の情報サイズを有する場合、前記制御チャンネルは前記二つ以上のサーチスペースのうちいずれを通しても受信され得る端末。
（項目１２）
前記各制御チャンネル候補が前記二つ以上のサーチスペースにわたって同一の情報サイズを有する場合、前記モニタリングは、前記同一の情報サイズを有する各制御チャンネル候補が前記二つ以上のサーチスペースのうちいずれを通しても受信され得るという仮定の下で行われる、項目１１に記載の端末。
（項目１３）
前記同一の情報サイズを有する前記各制御チャンネル候補はＣＩＦ（Ｃａｒｒｉｅｒ  Ｉｎｄｉｃａｔｏｒ  Ｆｉｅｌｄ）値を用いて区分される、項目１２に記載の端末。
（項目１４）
前記各制御チャンネル候補が前記複数のサーチスペースにわたって互いに異なる情報サイズを有する場合、前記制御チャンネルは、前記制御チャンネルと関連したキャリアに対応する一つのサーチスペースを通してのみ受信される、項目１１に記載の端末。
（項目１５）
前記複数のサーチスペースは同一キャリアを介して受信され、前記各制御チャンネルは、関連したキャリアを指示するのに使用されるＣＩＦ（Ｃａｒｒｉｅｒ  Ｉｎｄｉｃａｔｏｒ  Ｆｉｅｌｄ）値を含む、項目１１に記載の方法。
（項目１６）
前記制御チャンネルは、ＲＮＴＩ（Ｒａｄｉｏ  Ｎｅｔｗｏｒｋ  Ｔｅｍｐｏｒａｒｙ  Ｉｄｅｎｔｉｆｉｅｒ）でＣＲＣ（Ｃｙｃｌｉｃ  Ｒｅｄｕｎｄａｎｃｙ  Ｃｈｅｃｋ）スクランブルされた、項目１１に記載の端末。
（項目１７）
前記複数のサーチスペースは端末特定サーチスペースである、項目１１に記載の端末。
（項目１８）
前記情報サイズはＤＣＩ（ｄｏｗｎｌｉｎｋ  ｃｏｎｔｒｏｌ  ｉｎｆｏｒｍａｔｉｏｎ）ペイロードサイズを含む、項目１１に記載の端末。
（項目１９）
前記モニタリングは、前記制御チャンネルのために前記各制御チャンネル候補をそれぞれデコーディングすることを含む、項目１１に記載の端末。
（項目２０）
前記プロセッサは、前記制御チャンネルによる動作を行うように構成された、項目１１に記載の端末。
（項目２１）
多重キャリアを使用する無線通信システムでネットワークノードが制御チャンネルを伝送する方法において、
複数のサーチスペースを構成し、それぞれのサーチスペースは複数の制御チャンネル候補を含み、それぞれのサーチスペースはそれぞれのキャリアに対応すること；及び
前記制御チャンネルを前記複数のサーチスペースを通して伝送することを含み、
前記各制御チャンネル候補が二つ以上のサーチスペースにわたって同一の情報サイズを有する場合、前記制御チャンネルは前記二つ以上のサーチスペースのうちいずれを通しても伝送され得る方法。
（項目２２）
前記各制御チャンネル候補が前記二つ以上のサーチスペースにわたって同一の情報サイズを有する場合、前記同一の情報サイズを有する各制御チャンネル候補は前記二つ以上のサーチスペースのうちいずれを通しても伝送され得る、項目２１に記載の方法。
（項目２３）
前記同一の情報サイズを有する各制御チャンネル候補はＣＩＦ（Ｃａｒｒｉｅｒ  Ｉｎｄｉｃａｔｏｒ  Ｆｉｅｌｄ）値を用いて区分される、項目２２に記載の方法。
（項目２４）
前記各制御チャンネル候補が前記複数のサーチスペースにわたって互いに異なる情報サイズを有する場合、前記制御チャンネルは、前記制御チャンネルと関連したキャリアに対応する一つのサーチスペースを通してのみ伝送される、項目２１に記載の方法。
（項目２５）
前記複数のサーチスペースは同一のキャリアを介して伝送され、前記制御チャンネルは、関連したキャリアを指示するのに使用されるＣＩＦ（Ｃａｒｒｉｅｒ  Ｉｎｄｉｃａｔｏｒ  Ｆｉｅｌｄ）値を含む、項目２１に記載の方法。
（項目２６）
前記制御チャンネルはＲＮＴＩ（Ｒａｄｉｏ  Ｎｅｔｗｏｒｋ  Ｔｅｍｐｏｒａｒｙ  Ｉｄｅｎｔｉｆｉｅｒ）でＣＲＣ（Ｃｙｃｌｉｃ  Ｒｅｄｕｎｄａｎｃｙ  Ｃｈｅｃｋ）スクランブルされた、項目２１に記載の方法。
（項目２７）
前記複数のサーチスペースは端末特定サーチスペースである、項目２１に記載の方法。
（項目２８）
前記情報サイズはＤＣＩ（ｄｏｗｎｌｉｎｋ  ｃｏｎｔｒｏｌ  ｉｎｆｏｒｍａｔｉｏｎ）ペイロードサイズを含む、項目２１に記載の方法。
（項目２９）
多重キャリアを使用する無線通信システムで制御チャンネルを伝送するように構成されたネットワーク装置において、
ＲＦ（Ｒａｄｉｏ  Ｆｒｅｑｕｅｎｃｙ）ユニット；及び
プロセッサを含み、
前記プロセッサは複数のサーチスペースを構成し、それぞれのサーチスペースは複数の制御チャンネル候補を含み、それぞれのサーチスペースはそれぞれのキャリアに対応し、前記制御チャンネルを前記複数のサーチスペースを通して伝送するように構成され、
前記各制御チャンネル候補が二つ以上のサーチスペースにわたって同一の情報サイズを有する場合、前記制御チャンネルは前記二つ以上のサーチスペースのうちいずれを通しても伝送され得るネットワーク装置。
（項目３０）
前記各制御チャンネル候補が前記二つ以上のサーチスペースにわたって同一の情報サイズを有する場合、前記同一の情報サイズを有する各制御チャンネル候補は前記二つ以上のサーチスペースのうちいずれを通しても伝送され得る、項目２９に記載のネットワーク装置。
（項目３１）
前記同一の情報サイズを有する各制御チャンネル候補はＣＩＦ（Ｃａｒｒｉｅｒ  Ｉｎｄｉｃａｔｏｒ  Ｆｉｅｌｄ）値を用いて区分される、項目３０に記載のネットワーク装置。
（項目３２）
前記各制御チャンネル候補が前記複数のサーチスペースにわたって互いに異なる情報サイズを有する場合、前記制御チャンネルは前記制御チャンネルと関連したキャリアに対応する一つのサーチスペースを通してのみ伝送される、項目２９に記載のネットワーク装置。
（項目３３）
前記複数のサーチスペースは同一のキャリアを介して伝送され、前記制御チャンネルは、関連したキャリアを指示するのに使用されるＣＩＦ（Ｃａｒｒｉｅｒ  Ｉｎｄｉｃａｔｏｒ  Ｆｉｅｌｄ）値を含む、項目２９に記載のネットワーク装置。
（項目３４）
前記制御チャンネルはＲＮＴＩ（Ｒａｄｉｏ  Ｎｅｔｗｏｒｋ  Ｔｅｍｐｏｒａｒｙ  Ｉｄｅｎｔｉｆｉｅｒ）でＣＲＣ（Ｃｙｃｌｉｃ  Ｒｅｄｕｎｄａｎｃｙ  Ｃｈｅｃｋ）スクランブルされた、項目２９に記載のネットワーク装置。
（項目３５）
前記複数のサーチスペースは端末特定サーチスペースである、項目２９に記載のネットワーク装置。
（項目３６）
前記情報サイズはＤＣＩ（ｄｏｗｎｌｉｎｋ  ｃｏｎｔｒｏｌ  ｉｎｆｏｒｍａｔｉｏｎ）ペイロードサイズを含む、項目２９に記載のネットワーク装置。
【発明の効果】
【００２５】
本発明によると、キャリア・アグリゲーションをサポートする無線通信システムで制御チャンネルブロッキングを解消することができる。また、制御チャンネルのブラインドデコーディングを効率的に行うことができる。また、サーチスペースを効率的に構成することができる。
【００２６】
本発明で得られる効果は、以上言及した効果に制限されず、言及していない他の効果は、下記の記載から本発明の属する技術分野で通常の知識を有する者に明確に理解されるだろう。
【図面の簡単な説明】
【００２７】
【図１】３ＧＰＰシステムの無線フレームの構造を例示する図である。
【図２】ダウンリンクスロットの資源グリッドを例示する図である。
【図３】ダウンリンクフレームの構造を示す図である。
【図４】基地局でＰＤＣＣＨを構成することを示したフローチャートである。
【図５】端末がＰＤＣＣＨを処理することを示したフローチャートである。
【図６】アップリンクサブフレームの構造を例示する図である。
【図７】キャリア・アグリゲーション（Ｃａｒｒｉｅｒ  Ａｇｇｒｅｇａｔｉｏｎ：ＣＡ）通信システムを例示する図である。
【図８】クロス―キャリアスケジューリングを例示する図である。
【図９】本発明の一実施例に係るサーチスペース構成方案を例示する図である。
【図１０】本発明の一実施例に係る制御チャンネル処理方案を例示する図である。
【図１１Ａ】本発明の一実施例によってモニタリングＤＬ  ＣＣが１個である場合にサーチスペースを構成する例を示す図である。
【図１１Ｂ】本発明の一実施例によってモニタリングＤＬ  ＣＣが１個である場合にサーチスペースを構成する例を示す図である。
【図１２】本発明の一実施例によってモニタリングＤＬ  ＣＣが１個である場合にサーチスペースを構成する例を示す図である。
【図１３】本発明の一実施例によってモニタリングＤＬ  ＣＣが複数である場合にサーチスペースを構成する例を示す図である。
【図１４】本発明の一実施例によってブラインドデコーディング回数が制限される場合にサーチスペースを構成する例を示す図である。
【図１５】本発明の一実施例によってブラインドデコーディング回数が制限される場合にサーチスペースを構成する例を示す図である。
【図１６】本発明の一実施例によってＤＣＩサイズ単一化を用いてサーチスペースを構成する例を示す図である。
【図１７】本発明の一実施例によってキャリア・アグリゲーション状況でサーチスペースを構成する例を示す図である。
【図１８】本発明の一実施例によってキャリア・アグリゲーション状況でサーチスペースを構成する例を示す図である。
【図１９】本発明の一実施例によってキャリア・アグリゲーション状況でサーチスペースを構成する例を示す図である。
【図２０】本発明の一実施例によってキャリア・アグリゲーション状況でサーチスペースを構成する例を示す図である。
【図２１】本発明の一実施例によってサーチスペース共有を行った場合のシミュレーション結果を示す図である。
【図２２】本発明の一実施例によってサーチスペース共有を行った場合のシミュレーション結果を示す図である。
【図２３】本発明の一実施例に適用可能な基地局及び端末を例示する図である。
【発明を実施するための形態】
【００２８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ―ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などの多様な無線接続システムに使用することができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００などの無線技術として具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）などの無線技術として具現することができる。ＯＦＤＭＡは、ＩＥＥＥ  ８０２．１１（Ｗｉ―Ｆｉ）、ＩＥＥＥ  ８０２．１６（ＷｉＭＡＸ）、ＩＥＥＥ  ８０２―２０、Ｅ―ＵＴＲＡ（Ｅｖｏｌｖｅｄ  ＵＴＲＡ）などの無線技術として具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ―ＵＴＲＡを使用するＥ―ＵＭＴＳ（Ｅｖｏｌｖｅｄ  ＵＭＴＳ）の一部であって、ダウンリンクでＯＦＤＭＡを採用し、アップリンクでＳＣ―ＦＤＭＡを採用する。ＬＴＥ―Ａ（Ａｄｖａｎｃｅｄ）は、３ＧＰＰ  ＬＴＥの進化されたバージョンである。
【００２９】
説明を明確にするために、３ＧＰＰ  ＬＴＥ／ＬＴＥ―Ａを主に記述するが、本発明の技術的思想がこれに制限されることはない。また、以下の説明で使用される特定用語は、本発明の理解を促進するために提供されたものであって、このような特定用語の使用は、本発明の技術的思想を逸脱しない範囲で他の形態に変更可能である。
【００３０】
図１は、無線フレームの構造を例示する。
【００３１】
図１を参照すると、無線フレームは１０個のサブフレームを含む。サブフレームは時間ドメインで二つのスロットを含む。一つのサブフレームを伝送するための時間はＴＴＩ（ｔｒａｎｓｍｉｓｓｉｏｎ  ｔｉｍｅ  ｉｎｔｅｒｖａｌ）として定義される。例えば、一つのサブフレームは１ｍｓの長さを有することができ、一つのスロットは０．５ｍｓの長さを有することができる。一つのスロットは、時間ドメインで複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含む。３ＧＰＰ  ＬＴＥはダウンリンクでＯＦＤＭＡを使用するので、ＯＦＤＭシンボルは一つのシンボル区間を示す。また、ＯＦＤＭシンボルは、ＳＣ―ＦＤＭＡシンボル又はシンボル区間と称することができる。資源ブロック（Ｒｅｓｏｕｒｃｅ  Ｂｌｏｃｋ、ＲＢ）は資源割り当て単位であり、一つのスロット内で複数の連続した副搬送波を含む。無線フレームの構造は例示的な目的で示した。したがって、無線フレームに含まれたサブフレームの個数、サブフレームに含まれたスロットの個数、スロットに含まれたＯＦＤＭシンボルの個数は多様な方式で変形可能である。
【００３２】
図２は、ダウンリンクスロットのための資源グリッドを例示する。
【００３３】
図２を参照すると、ダウンリンクスロットは、時間ドメインで複数のＯＦＤＭシンボルを含む。ここで、一つのダウンリンクスロットは７個のＯＦＤＭシンボルを含み、一つの資源ブロック（ＲＢ）は周波数ドメインで１２個の副搬送波を含むことを例示した。しかし、本発明がこれに制限されることはない。資源グリッド上で、それぞれの要素は資源要素（Ｒｅｓｏｕｒｃｅ  Ｅｌｅｍｅｎｔ、ＲＥ）と称される。一つのＲＢは１２×７ＲＥを含む。ダウンリンクスロットに含まれたＲＢの個数ＮＤＬはダウンリンク伝送帯域に依存する。アップリンクスロットの構造はダウンリンクスロットの構造と同一であり得る。
【００３４】
図３は、ダウンリンクスロットの構造を例示する。
【００３５】
図３を参照すると、サブフレーム内で１番目のスロットの前に位置した最大３個のＯＦＤＭシンボルは、制御チャンネルが割り当てられた制御領域に該当する。残ったＯＦＤＭシンボルは、ＰＤＳＣＨ（ｐｈｙｓｉｃａｌ  ｄｏｗｎｌｉｎｋ  ｓｈａｒｅｄ  ｃｈａｎｎｅｌ）が割り当てられるデータ領域に該当する。３ＧＰＰ  ＬＴＥで使用されるダウンリンク制御チャンネルの例は、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）、ＰＨＩＣＨ（ｐｈｙｓｉｃａｌ  ｈｙｂｒｉｄ  ＡＲＱ  ｉｎｄｉｃａｔｏｒ  ｃｈａｎｎｅｌ）などを含む。ＰＣＦＩＣＨは、サブフレームの１番目のＯＦＤＭシンボルで伝送され、サブフレーム内で制御チャンネルの伝送に使用されるＯＦＤＭシンボルの個数に関する情報を運ぶ。ＰＨＩＣＨは、アップリンク伝送に対する応答であって、ＨＡＲＱ  ＡＣＫ／ＮＡＣＫ（ａｃｋｎｏｗｌｅｄｇｍｅｎｔ／ｎｅｇａｔｉｖｅ―ａｃｋｎｏｗｌｅｄｇｍｅｎｔ）信号を運ぶ。ＰＤＣＣＨを介して伝送される制御情報はＤＣＩ（ｄｏｗｎｌｉｎｋ  ｃｏｎｔｒｏｌ  ｉｎｆｏｒｍａｔｉｏｎ）と称される。ＤＣＩは、アップリンク又はダウンリンクスケジューリング情報又は任意の端末グループのためのアップリンク伝送（Ｔｘ）パワーコントロールコマンドを含む。
【００３６】
ＰＤＣＣＨは、ＤＬ―ＳＣＨ（ｄｏｗｎｌｉｎｋ  ｓｈａｒｅｄ  ｃｈａｎｎｅｌ）の伝送フォーマット及び資源割り当て、ＵＬ―ＳＣＨ（ｕｐｌｉｎｋ  ｓｈａｒｅｄ  ｃｈａｎｎｅｌ）に対する資源割り当て情報、ＰＣＨ（ｐａｇｉｎｇ  ｃｈａｎｎｅｌ）に対するページング情報、ＤＬ―ＳＣＨ上のシステム情報、ＰＤＳＣＨ上で伝送されるランダム接続応答などの上位―階層制御メッセージの資源割り当て情報、任意の端末グループ内での個別端末に対するＴｘパワーコントロールコマンド、Ｔｘパワーコントロールコマンド、ＶｏＩＰ（ｖｏｉｃｅ  ｏｖｅｒ  ＩＰ）の活性化などを運ぶ。制御領域内では複数のＰＤＣＣＨが伝送され得る。端末は複数のＰＤＣＣＨをモニタリングすることができる。ＰＤＣＣＨは、一つ又は複数の連続したＣＣＥ（ｃｏｎｓｅｃｕｔｉｖｅ  ｃｏｎｔｒｏｌ  ｃｈａｎｎｅｌ  ｅｌｅｍｅｎｔ）のアグリゲーション上で伝送される。ＣＣＥは、無線チャンネルの状態に応じて所定コーディングレートのＰＤＣＣＨを提供するために使用される論理的割り当て単位である。ＣＣＥは、複数のＲＥＧ（ｒｅｓｏｕｒｃｅ  ｅｌｅｍｅｎｔ  ｇｒｏｕｐ）に対応する。ＰＤＣＣＨのフォーマット及び可用のＰＤＣＣＨのビット数は、ＣＣＥの個数とＣＣＥによって提供されるコーディングレートとの間の相関関係によって決定される。基地局は、端末に伝送されるＤＣＩによってＰＤＣＣＨフォーマットを決定し、ＣＲＣ（ｃｙｃｌｉｃ  ｒｅｄｕｎｄａｎｃｙ  ｃｈｅｃｋ）を制御情報に付加する。ＰＤＣＣＨの所有者又は使用用途によって、唯一の識別子（ＲＮＴＩ（ｒａｄｉｏ  ｎｅｔｗｏｒｋ  ｔｅｍｐｏｒａｒｙ  ｉｄｅｎｔｉｆｉｅｒ）と称される）がＣＲＣにマスキングされる。ＰＤＣＣＨが特定端末のためのものである場合、該当の端末の唯一の識別子（例えば、Ｃ―ＲＮＴＩ（ｃｅｌｌ―ＲＮＴＩ））がＣＲＣにマスキングされる。他の例として、ＰＤＣＣＨがページングメッセージのためのものである場合、ページング指示識別子（例えば、Ｐ―ＲＮＴＩ（ｐａｇｉｎｇ―ＲＮＴＩ））がＣＲＣにマスキングされる。ＰＤＣＣＨがシステム情報（より具体的には、後述するＳＩＢ（ｓｙｓｔｅｍ  ｉｎｆｏｒｍａｔｉｏｎ  ｂｌｏｃｋ））に関するものである場合、システム情報識別子（例えば、ＳＩ―ＲＮＴＩ（ｓｙｓｔｅｍ  ｉｎｆｏｒｍａｔｉｏｎ  ＲＮＴＩ））がＣＲＣにマスキングされる。端末のランダム接続プリアンブルの伝送に対する応答であるランダム接続応答を指示するために、ＲＡ―ＲＮＴＩ（ｒａｎｄｏｍ  ａｃｃｅｓｓ―ＲＮＴＩ）がＣＲＣにマスキングされる。
【００３７】
ＰＤＣＣＨは、ＤＣＩ（Ｄｏｗｎｌｉｎｋ  Ｃｏｎｔｒｏｌ  Ｉｎｆｏｒｍａｔｉｏｎ）として知られたメッセージを運び、ＤＣＩは、一つの端末又は端末グループのための資源割り当て及び他の制御情報を含む。一般に、複数のＰＤＣＣＨが一つのサブフレーム内で伝送され得る。それぞれのＰＤＣＣＨは一つ以上のＣＣＥ（Ｃｏｎｔｒｏｌ  Ｃｈａｎｎｅｌ  Ｅｌｅｍｅｎｔ）を用いて伝送され、それぞれのＣＣＥは９セットの４個の資源要素に対応する。４個の資源要素はＲＥＧ（Ｒｅｓｏｕｒｃｅ  Ｅｌｅｍｅｎｔ  Ｇｒｏｕｐ）として知られている。４個のＱＰＳＫシンボルがそれぞれのＲＥＧにマッピングされる。参照信号によって割り当てられた資源要素はＲＥＧに含まれず、これによって与えられたＯＦＤＭシンボル内でのＲＥＧの総個数はセル―特定（ｃｅｌｌ―ｓｐｅｃｉｆｉｃ）参照信号の存在有無によって変わる。ＲＥＧ概念（すなわち、グループ単位のマッピング、各グループは４個の資源要素を含む。）は、他のダウンリンク制御チャンネル（ＰＣＦＩＣＨ及びＰＨＩＣＨ）にも使用可能である。４個のＰＤＣＣＨフォーマットが表１に示すようにサポートされる。
【００３８】
【表１】
0005869636.tif 000002
各ＣＣＥは、連続的に番号が付けられて使用され、デコーディングプロセスを単純化するために、ｎ  ＣＣＥｓで構成されたフォーマットを有するＰＤＣＣＨは、ｎの倍数と同じ数を有するＣＣＥのみから開始することができる。特定ＰＤＣＣＨの伝送のために使用されるＣＣＥの個数は、チャンネル条件にしたがって基地局によって決定される。例えば、ＰＤＣＣＨが良いダウンリンクチャンネル（例えば、基地局に近い）を有する端末のためのものである場合、一つのＣＣＥでも十分であり得る。しかし、悪いチャンネル（例えば、セル境界に近い）を有する端末の場合、十分なロバスト性（ｒｏｂｕｓｔｎｅｓｓ）を得るために８個のＣＣＥが使用され得る。また、ＰＤＣＣＨのパワーレベルをチャンネル条件に合わせて調節することができる。
【００３９】
ＬＴＥに導入された方案は、それぞれの端末のためにＰＤＣＣＨが位置し得る制限されたセットのＣＣＥ位置を定義するものである。端末が自分のＰＤＣＣＨを探すことのできる前記制限されたセットのＣＣＥ位置は、「サーチスペース」と称することができる。ＬＴＥで、サーチスペースは、それぞれのＰＤＣＣＨフォーマットによって異なるサイズを有する。また、専用（ＵＥ―ｓｐｅｃｉｆｉｃ）及び共通サーチスペースが別途に定義される。専用サーチスペースは、各端末のために個別的に設定され、共通サーチスペースの範囲は全ての端末に知られる。専用及び共通サーチスペースは、与えられた端末に対してオーバーラップすることができる。非常に小さいサーチスペースを有すると、特定端末のためのサーチスペースで一部のＣＣＥ位置が割り当てられた場合に残るＣＣＥがないので、与えられたサブフレーム内で、基地局は、可能な全ての端末にＰＤＣＣＨを伝送する各ＣＣＥ資源を探すことができない場合がある。前記のようなブロッキングが次のサブフレームにつながる可能性を最小化するために、伝送サーチスペースの開始位置に端末―特定ホッピングシーケンスが適用される。共通及び専用サーチスペースのサイズを表２に示した。
【００４０】
【表２】
0005869636.tif 000003
ブラインドデコーディング（Ｂｌｉｎｄ  Ｄｅｃｏｄｉｎｇ、ＢＤ）の総回数による計算負荷を統制下に置くために、端末には、定義された全てのＤＣＩフォーマットを同時にサーチするように要求されない。一般に、専用サーチスペース内で、端末は常にフォーマット０と１Ａをサーチする。フォーマット０と１Ａは、同一のサイズを有し、メッセージ内のフラグによって区分される。また、端末には、追加フォーマットを受信するように要求され得る（例えば、基地局によって設定されたＰＤＳＣＨ伝送モードによって１、１Ｂ又は２）。共通サーチスペースで、端末はフォーマット１Ａ及び１Ｃをサーチする。また、端末は、フォーマット３又は３Ａをサーチするように設定することができる。フォーマット３及び３Ａは、フォーマット０及び１Ａと同じサイズを有し、端末―特定識別子よりは、互いに異なる（共通）識別子でＣＲＣをスクランブルすることによって区分することができる。多重―アンテナ技術を構成するための伝送モードと各ＤＣＩフォーマットの情報コンテンツを下記に示した。
【００４１】
（伝送モード（Ｔｒａｎｓｍｉｓｓｉｏｎ  Ｍｏｄｅ））
●伝送モード１：単一基地局アンテナポートからの伝送
●伝送モード２：伝送ダイバーシティ
●伝送モード３：開―ループ空間多重化
●伝送モード４：閉―ループ空間多重化
●伝送モード５：多重―ユーザーＭＩＭＯ
●伝送モード６：閉―ループランク―１プリコーディング
●伝送モード７：端末―特定参照信号を用いた伝送
（ＤＣＩフォーマット）
●フォーマット０：ＰＵＳＣＨ伝送（アップリンク）のための資源グラント
●フォーマット１：単一コードワードＰＤＳＣＨ伝送（伝送モード１、２及び７）のための資源割り当て
●フォーマット１Ａ：単一コードワードＰＤＳＣＨ（全てのモード）のための資源割り当てのコンパクトシグナリング
●フォーマット１Ｂ：ランク―１閉―ループプリコーディングを用いるＰＤＳＣＨ（モード６）のためのコンパクト資源割り当て
●フォーマット１Ｃ：ＰＤＳＣＨ（例えば、ページング／ブロードキャストシステム情報）のための非常にコンパクトな資源割り当て
●フォーマット１Ｄ：多重―ユーザーＭＩＭＯを用いるＰＤＳＣＨ（モード５）のためのコンパクト資源割り当て
●フォーマット２：閉―ループＭＩＭＯ動作のＰＤＳＣＨ（モード４）のための資源割り当て
●フォーマット２Ａ：開―ループＭＩＭＯ動作のＰＤＳＣＨ（モード３）のための資源割り当て
●フォーマット３／３Ａ：ＰＵＣＣＨ及びＰＵＳＣＨのために２―ビット／１―ビットパワー調整値を有するパワーコントロールコマンド
上述した内容を考慮すると、端末には、一つのサブフレーム内で最大４４回のＢＤを行うことが要求される。同一のメッセージを互いに異なるＣＲＣ値でチェックするためには、小さい付加的な計算複雑度のみが要求されるので、同一のメッセージを互いに異なるＣＲＣ値でチェックすることはＢＤ回数に含まれない。
【００４２】
図４は、基地局でＰＤＣＣＨを構成することを示したフローチャートである。
【００４３】
図４を参照すると、基地局は、ＤＣＩフォーマットによって制御情報を生成する。基地局は、端末に伝送しようとする制御情報によって、複数のＤＣＩフォーマット（ＤＣＩ  ｆｏｒｍａｔ１、２、…、Ｎ）のうち一つのＤＣＩフォーマットを選択することができる。段階Ｓ４１０で、それぞれのＤＣＩフォーマットによって生成された制御情報にエラー検出のためのＣＲＣ（Ｃｙｃｌｉｃ  Ｒｅｄｕｎｄａｎｃｙ  Ｃｈｅｃｋ）を付着する。ＣＲＣには、ＰＤＣＣＨの所有者や用途によって識別子（例えば、ＲＮＴＩ（Ｒａｄｉｏ  Ｎｅｔｗｏｒｋ  Ｔｅｍｐｏｒａｒｙ  Ｉｄｅｎｔｉｆｉｅｒ））がマスキングされる。すなわち、ＰＤＣＣＨは識別子（例えば、ＲＮＴＩ）でＣＲＣスクランブルされる。
【００４４】
表３は、ＰＤＣＣＨにマスキングされる各識別子の例を示す。
【００４５】
【表３】
0005869636.tif 000004
Ｃ―ＲＮＴＩ、臨時Ｃ―ＲＮＴＩ又は半持続的Ｃ―ＲＮＴＩが使用される場合、ＰＤＣＣＨは該当する特定端末のための制御情報を運び、その他のＲＮＴＩが使用される場合、ＰＤＣＣＨはセル内の全ての端末が受信する共用制御情報を運ぶ。段階Ｓ４２０で、ＣＲＣが付加された制御情報にチャンネルコーディングを行い、符号化されたデータを生成する。段階Ｓ４３０で、ＰＤＣＣＨフォーマットに割り当てられたＣＣＥアグリゲーションレベル（ａｇｇｒｅｇａｔｉｏｎ  ｌｅｖｅｌ）による伝送率マッチング（ｒａｔｅ  ｍａｔｃｈｉｎｇ）を行う。段階Ｓ４４０で、符号化されたデータを変調し、各変調シンボルを生成する。一つのＰＤＣＣＨを構成する各変調シンボルは、ＣＣＥアグリゲーションレベルが１、２、４、８のうち一つであり得る。段階Ｓ４５０で、各変調シンボルを物理的な資源要素（ＲＥ）にマッピング（ＣＣＥ  ｔｏ  ＲＥ  ｍａｐｐｉｎｇ）する。
【００４６】
図５は、端末がＰＤＣＣＨ処理を行うことを示したフローチャートである。
【００４７】
図５を参照すると、段階Ｓ５１０で、端末は物理的な資源要素をＣＣＥからデマッピング（ＣＣＥ  ｔｏ  ＲＥ  ｄｅｍａｐｐｉｎｇ）する。段階Ｓ５２０で、端末は、自分がどのＣＣＥアグリゲーションレベルでＰＤＣＣＨを受信すべきであるかを知らないので、それぞれのＣＣＥアグリゲーションレベルに対して復調する。段階Ｓ５３０で、端末は、復調されたデータに伝送率デマッチング（ｒａｔｅ  ｄｅｍａｔｃｈｉｎｇ）を行う。端末は、自分がどのＤＣＩフォーマット（又はＤＣＩペイロードサイズ）を有する制御情報を受信すべきであるかを知らないので、それぞれのＤＣＩフォーマット（又はＤＣＩペイロードサイズ）に対して伝送率デマッチングを行う。段階Ｓ５４０で、伝送率デマッチングが行われたデータにコードレートによってチャンネルデコーディングを行い、ＣＲＣをチェックしてエラー発生有無を検出する。エラーが発生しない場合、端末が自分のＰＤＣＣＨを検出したことを示す。一方、エラーが発生する場合、端末は、他のＣＣＥアグリゲーションレベルや他のＤＣＩフォーマット（又はＤＣＩペイロードサイズ）に対して継続してブラインドデコーディングを行う。段階Ｓ５５０で、自分のＰＤＣＣＨを検出した端末は、デコーディングされたデータからＣＲＣを除去し、制御情報を獲得する。
【００４８】
複数の端末に対する複数のＰＤＣＣＨが同一のサブフレームの制御領域内で伝送され得る。基地局は、端末に該当のＰＤＣＣＨが制御領域のどこにあるかに関する情報を提供しない。したがって、端末は、サブフレーム内で各ＰＤＣＣＨ候補の集合をモニタリングし、自分のＰＤＣＣＨを探す。ここで、モニタリングとは、端末が、受信された各ＰＤＣＣＨ候補に対してそれぞれのＤＣＩフォーマットによってデコーディングを試みることを意味する。これをブラインドデコーディング（ｂｌｉｎｄ  ｄｅｔｅｃｔｉｏｎ）という。ブラインドデコーディングを通して、端末は、自分に伝送されたＰＤＣＣＨの識別と該当のＰＤＣＣＨを介して伝送される制御情報のデコーディングを同時に行う。例えば、Ｃ―ＲＮＴＩでＰＤＣＣＨをデマスキングした場合、ＣＲＣエラーがないと、端末が自分のＰＤＣＣＨを検出したことを示す。
【００４９】
一方、ブラインドデコーディングのオーバーヘッドを減少させるために、ＰＤＣＣＨを用いて伝送される制御情報の種類よりもＤＣＩフォーマットの個数がより小さく定義される。ＤＣＩフォーマットは、複数の互いに異なる情報フィールドを含む。ＤＣＩフォーマットによって、情報フィールドの種類、情報フィールドの個数、各情報フィールドのビット数などが変わる。また、ＤＣＩフォーマットによって、ＤＣＩフォーマットに整合される制御情報のサイズが変わる。任意のＤＣＩフォーマットは、二種類以上の制御情報伝送に使用することができる。
【００５０】
表４は、ＤＣＩフォーマット０が伝送する制御情報の例を示す。以下で、各情報フィールドのビットサイズは例示的なものに過ぎなく、フィールドのビットサイズを制限することはない。
【００５１】
【表４】
0005869636.tif 000005
フラグフィールドは、フォーマット０とフォーマット１Ａの区別のための情報フィールドである。すなわち、ＤＣＩフォーマット０と１Ａは、同一のペイロードサイズを有し、フラグフィールドによって区分される。資源ブロック割り当て及びホッピング資源割り当てフィールドは、ホッピングＰＵＳＣＨ又はノン―ホッピング（ｎｏｎ―ｈｏｐｐｐｉｎｇ）ＰＵＳＣＨによってフィールドのビットサイズが変わり得る。ノン―ホッピングＰＵＳＣＨのための資源ブロック割り当て及びホッピング資源割り当てフィールドは、
【００５２】
【化１】
0005869636.tif 000006
ビットをアップリンクサブフレーム内の１番目のスロットの資源割り当てに提供する。ここで、
【００５３】
【化２】
0005869636.tif 000007
は、アップリンクスロットに含まれる資源ブロックの数であって、セルで設定されるアップリンク伝送帯域幅に従属する。したがって、ＤＣＩフォーマット０のペイロードサイズはアップリンク帯域幅によって変わり得る。ＤＣＩフォーマット１Ａは、ＰＤＳＣＨ割り当てのための情報フィールドを含み、ＤＣＩフォーマット１Ａのペイロードサイズもダウンリンク帯域幅によって変わり得る。ＤＣＩフォーマット１Ａは、ＤＣＩフォーマット０に対して基準情報ビットサイズを提供する。したがって、ＤＣＩフォーマット０の各情報ビットの数がＤＣＩフォーマット１Ａの各情報ビットの数より少ない場合、ＤＣＩフォーマット０のペイロードサイズがＤＣＩフォーマット１Ａのペイロードサイズと同一になるまでＤＣＩフォーマット０に「０」を付加する。付加された「０」は、ＤＣＩフォーマットのパディングフィールド（ｐａｄｄｉｎｇ  ｆｉｅｌｄ）に充填される。
【００５４】
図６は、ＬＴＥで使用されるアップリンクサブフレームの構造を例示する。
【００５５】
図６を参照すると、アップリンクサブフレームは、複数（例えば、２個）のスロットを含む。スロットは、ＣＰ（Ｃｙｃｌｉｃ  Ｐｒｅｆｉｘ）長さによって互いに異なる数のＳＣ―ＦＤＭＡシンボルを含むことができる。一例として、普通（ｎｏｒｍａｌ）のＣＰの場合、スロットは７個のＳＣ―ＦＤＭＡシンボルを含むことができる。アップリンクサブフレームは、周波数領域でデータ領域と制御領域に区分される。データ領域は、ＰＵＳＣＨを含み、音声などのデータ信号を伝送するのに使用される。制御領域は、ＰＵＣＣＨを含み、制御情報を伝送するのに使用される。ＰＵＣＣＨは、周波数軸でデータ領域の両端部分に位置したＲＢペア（ＲＢ  ｐａｉｒ）（例えば、ｍ＝０、１、２、３）を含み、スロットを境界にしてホッピングする。制御情報は、ＨＡＲＱ  ＡＣＫ／ＮＡＣＫ、ＣＱＩ（Ｃｈａｎｎｅｌ  Ｑｕａｌｉｔｙ  Ｉｎｆｏｒｍａｔｉｏｎ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む。
【００５６】
図７は、キャリア・アグリゲーション（Ｃａｒｒｉｅｒ  Ａｇｇｒｅｇａｔｉｏｎ：ＣＡ）通信システムを例示する。
【００５７】
図７を参照すると、複数のアップリンク／ダウンリンクコンポーネントキャリア（Ｃｏｍｐｏｎｅｎｔ  Ｃａｒｒｉｅｒ：ＣＣ）を集め、より広いアップリンク／ダウンリンク帯域幅をサポートすることができる。それぞれのＣＣは、周波数領域で互いに隣接したり、隣接しないことがある。各コンポーネントキャリアの帯域幅は独立的に定めることができる。ＵＬ  ＣＣの個数とＤＬ  ＣＣの個数が異なる非対称キャリア・アグリゲーションも可能である。一方、制御情報は、特定ＣＣを通してのみ送受信されるように設定することができる。このような特定ＣＣをプライマリーＣＣと称し、残りのＣＣをセカンダリーＣＣと称することができる。一例として、クロス―キャリアスケジューリング（ｃｒｏｓｓ―ｃａｒｒｉｅｒ  ｓｃｈｅｄｕｌｉｎｇ）（又はクロス―ＣＣスケジューリング）が適用される場合、ダウンリンク割り当てのためのＰＤＣＣＨはＤＬ  ＣＣ＃０を通して伝送し、該当のＰＤＳＣＨはＤＬ  ＣＣ＃２を通して伝送することができる。「コンポーネントキャリア」という用語は、等価の他の用語（例えば、キャリア、セルなど）に取り替えることができる。
【００５８】
クロス―ＣＣスケジューリングのために、ＣＩＦ（ｃａｒｒｉｅｒ  ｉｎｄｉｃａｔｏｒ  ｆｉｅｌｄ）の導入を考慮することができる。ＰＤＣＣＨ内のＣＩＦの存在又は不在のための設定を、半―静的に端末―特定（又は端末グループ―特定）に上位階層シグナリング（例えば、ＲＲＣシグナリング）によってイネーブルすることができる。ＰＤＣＣＨ伝送の基本事項は、下記のように整理することができる。
【００５９】
■ＣＩＦディスエーブルド（ｄｉｓａｂｌｅｄ）：ＤＬ  ＣＣ上のＰＤＣＣＨは、同一のＤＬ  ＣＣ上のＰＤＳＣＨ資源及び単一のリンクされたＵＬ  ＣＣ上でのＰＵＳＣＨ資源を割り当てる。
【００６０】
●Ｎｏ  ＣＩＦ
●ＬＴＥ  ＰＤＣＣＨ構造と同一（同一のコーディング、同一のＣＣＥ―基盤資源マッピング）及びＤＣＩフォーマット
■ＣＩＦイネーブルド（ｅｎａｂｌｅｄ）：ＤＬ  ＣＣ上のＰＤＣＣＨは、ＣＩＦを用いて複数の併合されたＤＬ／ＵＬ  ＣＣのうち一つのＤＬ／ＵＬ  ＣＣ上のＰＤＳＣＨ又はＰＵＳＣＨ資源を割り当てることができる。
【００６１】
●ＣＩＦを有するように拡張されたＬＴＥ  ＤＣＩフォーマット
―ＣＩＦ（設定される場合）は、固定されたｘ―ビットフィールド（例えば、ｘ＝３）
―ＣＩＦ（設定される場合）位置は、ＤＣＩフォーマットサイズと関係なく固定される。
【００６２】
●ＬＴＥ  ＰＤＣＣＨ構造を再使用（同一のコーディング、同一のＣＣＥ―基盤資源マッピング）
●各ＤＣＩフォーマットが同一又は互いに異なるサイズを有する場合、全てのクロス―ＣＣ資源割り当てを設定することができる。
【００６３】
―同一のＤＣＩフォーマットサイズを有する場合、明示的（ｅｘｐｌｉｃｉｔ）ＣＩＦ―ＤＣＩフォーマットサイズが互いに異なる場合、ＣＩＦが含まれたか否かを決定することができる。
【００６４】
●ＢＤの総回数には上限がある。
【００６５】
ＣＩＦが存在する場合、望ましくは、基地局は、端末側でのＢＤ複雑度を低下させるためにＰＤＣＣＨモニタリングＤＬ  ＣＣセットを割り当てることができる。このようなＣＣセットは、全体の併合されたＤＬ  ＣＣの一部であって、端末は、該当のセットのみで自分のためにスケジューリングされたＰＤＣＣＨの検出／デコーディングを行う。すなわち、端末のためのＰＤＳＣＨ／ＰＵＳＣＨスケジューリングのために、基地局は、ＰＤＣＣＨモニタリングＤＬ  ＣＣセットを通してのみＰＤＣＣＨを伝送する。ＰＤＣＣＨモニタリングＤＬ  ＣＣセットは、端末―特定、端末―グループ―特定又はセル―特定方式でセッティングすることができる。
【００６６】
図８は、３個のＤＬ  ＣＣが併合され、ＤＬ  ＣＣ  ＡがＰＤＣＣＨモニタリングＤＬ  ＣＣとして設定された場合のＤＬサブフレームを例示する。ＣＩＦがディスエーブルされると、ＬＴＥ  ＰＤＣＣＨ規則に従って、各ＤＬ  ＣＣはＣＩＦなしに各ＤＬ  ＣＣのＰＤＳＣＨをスケジューリングするＰＤＣＣＨを伝送することができる。一方、ＣＩＦが上位階層シグナリングによって端末―特定（又は端末―グループ特定、セル―特定）にイネーブルされると、ＣＩＦを用いてＤＬ  ＣＣ  Ａのみが、ＤＬ  ＣＣ  ＡのＰＤＳＣＨのみならず他のＤＬ  ＣＣのＰＤＳＣＨをスケジューリングするＰＤＣＣＨを伝送することができる。この場合、ＰＤＣＣＨモニタリングＤＬ  ＣＣとして設定されていないＤＬ  ＣＣ  Ｂ及びＣ上ではＰＤＣＣＨが伝送されない。「ＰＤＣＣＨモニタリングＤＬ  ＣＣ」という用語は、モニタリングキャリア、モニタリングセル、サービングキャリア、サービングセルなどの等価の用語に取り替えることができる。
（実施例）
キャリア・アグリゲーションシステムでクロス―ＣＣスケジューリングが設定されていない場合、特定キャリアのためのＰＤＣＣＨは該当のキャリアを通してのみ伝送される。例えば、図７を参照すると、ノン―クロス―ＣＣスケジューリングが設定されると、ＤＬ  ＣＣ０／ＵＬ  ＣＣ０のためのＰＤＣＣＨはＤＬ  ＣＣ０を通してのみ伝送される。したがって、ＤＬ  ＣＣ０には、ＤＬ  ＣＣ０／ＵＬ  ＣＣ０に対するＰＤＣＣＨサーチスペースのみが存在する。すなわち、それぞれのキャリアのためのＰＤＣＣＨサーチスペースはキャリア別に構成され、それぞれのＰＤＣＣＨサーチスペースは該当のＤＬ  ＣＣを通してのみ伝送される。
【００６７】
しかし、図８に例示したように、クロス―ＣＣスケジューリングが設定された場合（すなわち、ＣＩＦがイネーブルされた場合）、モニタリングＤＬ  ＣＣは、自分と関連したＰＤＣＣＨのみならず、他のキャリアと関連したＰＤＣＣＨも伝送しなければならない。すなわち、モニタリングＤＬ  ＣＣ（ＤＬ  ＣＣ  Ａ）は、ＤＬ  ＣＣ  Ａ、ＤＬ  ＣＣ  Ｂ及びＤＬ  ＣＣ  Ｃと関連したＰＤＣＣＨを全て伝送しなければならない。したがって、モニタリングＤＬ  ＣＣ（ＤＬ  ＣＣ  Ａ）は、ＤＬ  ＣＣ  Ａと関連したＰＤＣＣＨサーチスペース、ＤＬ  ＣＣ  Ｂと関連したＰＤＣＣＨサーチスペース及びＤＬ  ＣＣ  Ｃと関連したＰＤＣＣＨサーチスペースを全て含まなければならない。このように、ＣＩＦが設定される場合、一つのＤＬ  ＣＣに複数のＰＤＣＣＨサーチスペースが定義されなければならないので、制限されたＰＤＣＣＨ資源によるＰＤＣＣＨブロッキング、ブラインドデコーディング回数の増加などの問題が発生し得る。ここで、ＰＤＣＣＨブロッキングは、制限されたＰＤＣＣＨ資源によって該当のキャリアに対するＰＤＣＣＨスケジューリングが制限されることを意味する。例えば、一つのキャリアに複数のＰＤＣＣＨサーチスペースを定義する場合、制限されたＰＤＣＣＨ資源によって各キャリアに対応するＰＤＣＣＨサーチスペースの可用の資源が制限され得る。その結果、ＰＤＣＣＨ割り当て位置が制限されたり、ＰＤＣＣＨ割り当て自体が不可能になり得る。
【００６８】
したがって、ＣＩＦが設定される場合、ＰＤＣＣＨブロッキング、ブラインドデコーディング回数の増加を解消するための方案が必要である。このために、モニタリングＤＬ  ＣＣでＰＤＣＣＨサーチスペースを既存と異なるように新しく定義することができる。すなわち、クロス―ＣＣスケジューリングの運用に適するようにＰＤＣＣＨサーチスペースを新しく定義することができる。例えば、ＰＤＣＣＨサーチスペースを複数のキャリアにわたって定義することができる。しかし、ＰＤＣＣＨサーチスペースを新しく定義する場合、既存のシステム（例えば、ＬＴＥ）との下位互換性（ｂａｃｋｗａｒｄ  ｃｏｍｐａｔａｂｉｌｉｔｙ）が問題になる。また、既存のＤＣＩは、フォーマットが同一であるとしても、キャリア帯域によってペイロードサイズが異なり得るので、これらを統合されたＰＤＣＣＨサーチスペース内に定義するためにはＤＣＩ構造の変更も必要になり得る。
【００６９】
上述した理由で、本発明は、ＰＤＣＣＨサーチスペースがキャリア別に定義されるという前提下で、ＰＤＣＣＨブロッキングの解消、ブラインドデコーディング回数の減少のための方案を提案する。より具体的には、本発明は、複数のＣＣが併合（ａｇｇｒｅｇａｔｉｏｎ）され、クロス―ＣＣスケジューリングが可能である場合、ブラインドデコーディングのためのサーチスペース構成方法を提案する。クロス―ＣＣスケジューリングは、ＰＤＣＣＨに挿入されるＣＩＦを用いて行うことができる。
【００７０】
以下、図面を参照して本発明の実施例について具体的に説明する。説明する前に、併合された各ＣＣでの伝送モードは互いに独立的に設定することができ、各ＣＣの帯域幅もＣＣ別に割り当てられ、同一であるか又は互いに異なり得ることを明らかにしておく。また、端末（グループ）別に併合された全体のＣＣのうち、一つ又は複数のＤＬ  ＣＣを該当の端末（グループ）のためのＰＤＣＣＨモニタリングＤＬ  ＣＣに設定可能であることを明らかにしておく。ここで、ＰＤＣＣＨモニタリングＤＬ  ＣＣは、クロス―ＣＣスケジューリング時にそれぞれのキャリアに対応する複数のＰＤＣＣＨサーチスペースが伝送されるＤＬ  ＣＣを称するために任意に定義されたものであって、ＰＤＣＣＨモニタリングＤＬ  ＣＣは等価の他の用語に取り替えることができる。例えば、「ＰＤＣＣＨモニタリングＤＬ  ＣＣ」という用語は、モニタリングキャリア、モニタリングセル、サービングキャリア、サービングセルなどの等価の用語に取り替えることができる。
【００７１】
便宜上、図面には、ＤＬ  ＣＣのＰＤＳＣＨスケジューリングを主に図示したが、本発明は、各ＤＬ  ＣＣにリンクされたＵＬ  ＣＣのＰＵＳＣＨスケジューリングにも同一に適用可能である。また、便宜上、図面には、ＣＣＥアグリゲーションレベルが１である場合を主に図示したが、本発明は、ＣＣＥアグリゲーションレベルが異なる値（例えば、２、４、８）を有する場合にも同一に又は類似する形で適用することができる。また、本発明は、全ての場合に対して既存のＬＴＥと類似した形でＰＤＣＣＨ候補当たり２個のＤＣＩフォーマットに対するＢＤを行えると仮定したが、ＰＤＣＣＨ候補当たり１個又は３個以上のＤＣＩフォーマットに対するＢＤを行うことができる。また、便宜上、図面には、ＤＬ  ＣＣとＵＬ  ＣＣの個数が同一である対称的キャリアアグリゲーション状況を主に図示したが、本発明は、ＤＬ  ＣＣとＵＬ  ＣＣの個数が互いに異なる非対称的キャリアアグリゲーション状況にも同一に又は類似する形で適用することができる。また、便宜上、図面には、ＤＬ  ＣＣとＵＬ  ＣＣとの間のリンケージが１対１に形成された場合を主に図示したが、本発明は、ＤＬ  ＣＣとＵＬ  ＣＣとの間のリンケージが多対１又は１対多の形態で形成された場合にも同一に又は類似する形で適用することができる。
【００７２】
（具体例１：情報（例えば、ＤＣＩ）サイズによるサーチスペース構成）
本方案は、複数のキャリアが併合された状況でクロス―キャリアスケジューリングが可能である場合、同一サイズの制御情報を有する各サーチスペースを互いに共有することを提案する。すなわち、同一サイズの制御情報を有する各サーチスペースは、キャリア別に区分されずに互いに統合される。したがって、それぞれのキャリアと関連した制御情報のうち同一サイズの各制御情報に対するモニタリングは、統合された同一のサーチスペース内で行うことができる。一方、互いに異なるサイズの制御情報のための各サーチスペースはキャリア別に分けられる。したがって、それぞれのキャリアと関連した制御情報のうち互いに異なるサイズの各制御情報に対するモニタリングは、該当のキャリアに対応するサーチスペース内のみで行われる。
【００７３】
本方案によると、同一サイズの制御情報を有するサーチスペースが存在する場合、それによって該当の制御情報のモニタリングのためのサーチスペースのサイズを大きく割り当てることができる。したがって、制御チャンネルのスケジューリング自由度を増加させ、これによって制御チャンネルブロッキングを解消することができる。
【００７４】
図９は、基地局が特定端末に制御チャンネルを伝送する例を示す。
【００７５】
図９を参照すると、基地局は、複数のサーチスペースを構成する（Ｓ９１０）。それぞれのサーチスペースは、複数の制御チャンネル候補を含み、キャリア（例えば、ＣＣ）別に構成される。ＣＣ別にサーチスペースを構成することは、例えば、既存のＬＴＥのＰＤＣＣＨサーチスペース構成方式に従うことができる。ただし、ＣＣ別サーチスペースに関するパラメーター（例えば、ハッシングパターン、位置、サイズなど）は、既存のＬＴＥのＰＤＣＣＨサーチスペースに関するパラメーターとＣＩＦ値との組み合わせによって得ることができる。
【００７６】
複数のサーチスペースは、端末特定サーチスペース又は共通サーチスペースを含み、望ましくは、端末特定サーチスペースを含む。制御チャンネルはＰＤＣＣＨを含み、制御チャンネル候補はＰＤＣＣＨ候補を含む。制御チャンネルは多様な制御情報を運び、制御情報の種類／内容によって多様な制御情報フォーマットが存在する。その後、基地局は、特定端末に対する制御チャンネルを複数のサーチスペースを通して伝送する（Ｓ９２０）。制御チャンネル（又は制御情報）は、特定端末を指示するために識別情報を運ぶことができる。識別情報は、ＲＮＴＩ、例えば、Ｃ―ＲＮＴＩ、ＳＰＳ―ＲＮＴＩなどを含む。制御チャンネル（又は制御情報）は、識別情報を用いてスクランブルすることができる。例えば、基地局は、Ｃ―ＲＮＴＩでＣＲＣスクランブルされたＰＤＣＣＨを端末に伝送することができる。
【００７７】
クロス―キャリアスケジューリングが設定された場合、複数のサーチスペースは同一のＤＬ  ＣＣ上に構成される。クロス―キャリアスケジューリングは、制御チャンネル内のＣＩＦを用いて行うことができる。ＣＩＦは、リンケージされたＤＬ／ＵＬ  ＣＣペアを指示する代表値（例えば、ＤＬ  ＣＣ指示値）を有したり、ＤＬ  ＣＣ又はＵＬ  ＣＣを別途に指示する値を有することができる。ＣＩＦは、絶対インデックス又は相対インデックス（例えば、オフセット）で表現することができる。
【００７８】
サーチスペースは、リンケージされたＤＬ／ＵＬ  ＣＣペア別に構成したり、ＤＬ  ＣＣ又はＵＬ  ＣＣ別に構成することができる。それぞれのサーチスペースは、論理的インデックスで隣接したり、独立的に設定することができ、一部又は全体のサーチスペースをオーバーラップすることができる。それぞれのキャリア（又はＣＩＦ）に対応するサーチスペースのサイズは、サーチスペースを通して伝送可能な最大のＰＤＣＣＨの数に比例して決定したり、又は加重値をおいて決定することができ、全て同一である場合もある。それぞれのキャリア（又はＣＩＦ）に対応するサーチスペースには、ＤＬ  ＣＣ又はＵＬ  ＣＣ当たり１個の制御情報フォーマットを設定することもでき、ＤＬ  ＣＣ又はＵＬ  ＣＣ当たり２個以上の制御情報フォーマットを設定することもできる。また、サーチスペースには、ＬＴＥのＤＣＩフォーマット０／１ＡのようにＤＬ／ＵＬ共通制御情報フォーマットも設定することができる。サーチスペースに設定される制御情報フォーマットの種類は、伝送モード（例えば、多重アンテナ伝送モード）によって変わり得る。
【００７９】
サーチスペースの構成時に、複数のサーチスペースで同一サイズの制御チャンネルフォーマット（又はフォーマットとは関係なく同一サイズの制御情報）が存在する場合、該当の制御チャンネルフォーマットの各サーチスペースは互いに共有される。一つのキャリア上に構成されたサーチスペースの個数がＭ（Ｍ≧２）である場合、Ｎ（Ｎ≦Ｍ）個のサーチスペースを共有することができる。サーチスペースの共有可否／個数は、制御チャンネルフォーマット（又はフォーマットとは関係なく制御情報サイズ）別に決定することができる。したがって、サーチスペースはキャリア別に構成されるが、同一サイズの制御チャンネルフォーマット（又はフォーマットとは関係なく同一サイズの制御情報）が存在する場合、該当の各サーチスペースは一つに統合される。この場合、共有されたＮ個のサーチスペースに対応する各キャリア（又はＣＩＦ）のうちいずれか一つと関連した端末用制御チャンネルは、前記Ｎ個のサーチスペースのうちいずれを通しても伝送され得る。すなわち、Ｎ個のサーチスペースにわたって同一サイズを有する制御チャンネル候補は、前記Ｎ個のサーチスペースのうちいずれを通しても伝送され得る。この場合、同一サイズを有する制御チャンネル候補はＣＩＦ（Ｃａｒｒｉｅｒ  Ｉｎｄｉｃａｔｏｒ  Ｆｉｅｌｄ）値を用いて区分される。
【００８０】
一方、制御チャンネルフォーマットのサイズがサーチスペース別に異なる場合、該当の制御チャンネルフォーマットの各サーチスペースは共有されない。この場合、端末に対する制御チャンネルは、該当のキャリア（又はＣＩＦ）に対応するサーチスペースを通してのみ伝送され得る。すなわち、同一のＣＩＦを有する各制御チャンネル候補は、前記ＣＩＦに該当する一つのサーチスペースを通してのみ伝送される。
【００８１】
一つの具現例で、基地局は、ＣＣ別にサーチスペースを構成し、全てのＣＣに対するＤＣＩ（フォーマット）サイズを比較することができる。比較の結果、同一サイズを有するＤＣＩ（フォーマット）がある場合、基地局は、該当のＤＣＩ（フォーマット）の各サーチスペースを統合し、拡張されたサーチスペースを構成することができる。したがって、同一サイズの各ＤＣＩ（フォーマット）のためのＰＤＣＣＨは、それぞれのサーチスペースのみならず、統合・拡張されたサーチスペース内のどのＰＤＣＣＨ候補を通しても伝送可能である。この場合、拡張されたサーチスペース内で、各ＰＤＣＣＨ候補はＣＩＦ（Ｃａｒｒｉｅｒ  Ｉｎｄｉｃａｔｏｒ  Ｆｉｅｌｄ）値を用いて区分される。
【００８２】
図１０は、端末が制御チャンネル（例えば、ＰＤＣＣＨ）を処理する例を示す。図１０の過程は、図９に例示した過程に対応するので、これについては図９の内容を参照して詳細に説明する。
【００８３】
図１０を参照すると、端末は、複数（Ｍ：Ｍ≧２）のサーチスペースを受信する（Ｓ１１１０）。それぞれのサーチスペースはキャリア別に定義される。その後、端末は、自分に指定された制御チャンネルを探すためにサーチスペース内の各制御チャンネル候補をモニタリングする（Ｓ１１２０）。モニタリング過程は、それぞれの制御チャンネル候補をブラインドデコーディングすることを含む。その後、端末は、自分に指定された制御チャンネルによる動作を行うことができる（Ｓ１１３０）。
【００８４】
ここで、各制御チャンネル候補がＮ（Ｎ≦Ｍ）個のサーチスペースにわたって同一の情報サイズを有する場合、Ｎ個のサーチスペースに対応するキャリア（又はＣＩＦ）のうちいずれか一つと関連した端末用制御チャンネルは、前記Ｎ個のサーチスペースのうちいずれを通しても受信され得る。したがって、端末は、同一の情報サイズを有する各制御チャンネル候補が、前記Ｎ個のサーチスペースのうちいずれを通しても受信可能であるという仮定の下で各制御チャンネル候補をモニタリングする。この場合、同一の情報サイズを有する各制御チャンネル候補は、ＣＩＦ（Ｃａｒｒｉｅｒ  Ｉｎｄｉｃａｔｏｒ  Ｆｉｅｌｄ）値を用いて区分される。
【００８５】
一方、各制御チャンネル候補がサーチスペース別に互いに異なる情報サイズを有する場合、特定端末のための制御チャンネルは、該当のキャリア（又はＣＩＦ）に対応するサーチスペースを通してのみ受信され得る。すなわち、同一のＣＩＦを有する各制御チャンネル候補は、前記ＣＩＦに対応する一つのサーチスペースを通してのみ伝送され得る。
【００８６】
図１１Ａは、本発明の一実施例によってサーチスペースを構成する例を示す。本例は、３個のＤＬ  ＣＣが併合され、各ＤＬ  ＣＣの伝送モードが１、３、４に設定された場合を例示する。便宜上、全てのＣＣの帯域幅は同一であり、ＤＬ  ＣＣ  ＃１がＰＤＣＣＨモニタリングＤＬ  ＣＣであると仮定する。本例は、ＤＣＩフォーマット当たりのＢＤ回数が同一（ＬＴＥと同一に６個のＰＤＣＣＨ候補に対して遂行）であると仮定したが、ＤＣＩフォーマットによってＢＤ回数を異なるように設定可能である場合を排除しない。
【００８７】
図１１Ａを参照すると、基地局は、それぞれのＣＣ別にサーチスペースを構成し、全てのＣＣに対するＤＣＩフォーマットサイズを比較する。比較の結果、３個のＤＬ  ＣＣに対してＤＣＩフォーマット１Ａのサイズは同一であり、ＤＣＩフォーマット１、２Ａ、２の場合にそれぞれ唯一のサイズを有する。したがって、基地局は、ＤＣＩフォーマット１Ａのための３個のサーチスペースを一つに統合する（サーチスペース共有）。したがって、基地局は、ＤＣＩフォーマット１Ａ（ＣＩＦ＝ＤＬ  ＣＣ  ＃１）をＤＬ  ＣＣ  ＃１のためのサーチスペース、ＤＬ  ＣＣ  ＃２のためのサーチスペース、ＤＬ  ＣＣ  ＃３のためのサーチスペースのうちいずれのサーチスペースのＰＤＣＣＨ候補を通しても伝送することができる。同様に、ＤＣＩフォーマット１Ａ（ＣＩＦ＝ＤＬ  ＣＣ  ＃２）及びＤＣＩフォーマット１Ａ（ＣＩＦ＝ＤＬ  ＣＣ  ＃３）も、３個のサーチスペースのうちいずれのサーチスペースのＰＤＣＣＨ候補を通しても伝送することができる。すなわち、ＤＣＩフォーマット１Ａ候補（ＣＩＦ＝ＤＬ  ＣＣ  ＃１、＃２又は＃３）は、ＤＬ  ＣＣ  ＃１、＃２及び＃３のための各サーチスペースのうちいずれを通しても伝送することができる。したがって、端末は、ＤＣＩフォーマット１Ａ候補（ＣＩＦ＝ＤＬ  ＣＣ  ＃１、＃２又は＃３）がＤＬ  ＣＣ  ＃１、＃２及び＃３のための各サーチスペースのうちいずれを通しても受信可能であるという仮定の下で各ＰＤＣＣＨ候補をモニタリングする。この場合、ＤＣＩフォーマット１Ａ候補はＣＩＦ値を用いて区分される。
【００８８】
一方、ＤＣＩフォーマット１、２Ａ、２の場合、それぞれ唯一のサイズを有するので、これらのためのサーチスペースは共有されずにＣＣ別に運営される。すなわち、ＤＣＩフォーマット１（ＣＩＦ＝ＤＬ  ＣＣ  ＃１）は、ＤＬ  ＣＣ  ＃１に対応するサーチスペースを通してのみ伝送することができる。同様に、ＤＣＩフォーマット２Ａ（ＣＩＦ＝ＤＬ  ＣＣ  ＃２）及びＤＣＩフォーマット２（ＣＩＦ＝ＤＬ  ＣＣ  ＃３）は、それぞれＤＬ  ＣＣ  ＃２及びＤＬ  ＣＣ  ＃３に対応するサーチスペースを通してのみ伝送することができる。
【００８９】
最大のブラインドデコーディング回数（ＭａｘＢＤ）を制限可能な状況を考慮し、より具体的に説明する。ＭａｘＢＤ＝３６は、サーチスペース共有前と比較してブラインドデコーディング回数の減少がない状態である。ＭａｘＢＤ＝３６の場合、ＤＣＩフォーマット１Ａに対するＢＤは、それぞれのサーチスペースが統合・拡張された１８（＝６×３）個のＰＤＣＣＨ候補で構成されたサーチスペースを通して共通的に行うことができる。一方、ＤＣＩフォーマット１、２Ａ、２に対するＢＤは、それぞれ６個のＰＤＣＣＨ候補で構成されたサーチスペースを通して行われる。
【００９０】
一方、ＭａｘＢＤが２４に減少すると、ＤＣＩフォーマット当たりのＢＤ回数も減少しなければならない。ＤＣＩフォーマット当たりのＢＤ回数を同一に維持すると仮定する場合、ＤＣＩフォーマット当たりのＢＤ回数は４（＝２４／６）に減少する。この場合、ＤＣＩフォーマット１Ａのためのサーチスペースは１２個のＰＤＣＣＨ候補で構成され、ＤＣＩフォーマット１、２Ａ、２のためのそれぞれのサーチスペースは４個のＰＤＣＣＨ候補で構成することができる。同様に、ＭａｘＢＤ＝１８の場合、ＤＣＩフォーマット１ＡのためのＰＤＣＣＨ候補の数は９になり、ＤＣＩフォーマット１、２Ａ、２のためのサーチスペースはそれぞれ３個のＰＤＣＣＨ候補で構成することができる。
【００９１】
図１１Ｂは、サーチスペース共有がある場合にＰＤＣＣＨ伝送及びそれによるブラインドデコーディングを行う例を示す。便宜上、３個のキャリア（又はＣＩＦ）に対応するサーチスペースが構成された場合を仮定する。それぞれのサーチスペースは、リンケージされたＤＬ  ＣＣ―ＵＬ  ＣＣペア、ＤＬ  ＣＣ又はＵＬ  ＣＣのうちいずれか一つに対応することができる。図面では、３個のサーチスペースのサイズが異なり得るとともに、各サーチスペースでＰＤＣＣＨ候補のＣＣＥアグリゲーションレベルが異なり得ると仮定する。一例として、ＣＣ  ＃１のためのサーチスペースはＣＣＥアグリゲーションレベルが１で、ＣＣ  ＃２／＃３のためのサーチスペースはＣＣＥアグリゲーションレベルが２、４又は８であり得る。図面で、ＰＤＣＣＨ（又は各ＰＤＣＣＨ候補）（ＣＩＦ＝ＣＣ  ＃Ｘ）（Ｘ＝１、２、３）は、同一のＤＣＩフォーマットを有したり、又は互いに異なるＤＣＩフォーマットを有することができる。
【００９２】
図１１Ｂのケース１は、全てのサーチスペースが共有された場合を示す。すなわち、ＣＣ  ＃１〜＃３のための各サーチスペースのＰＤＣＣＨ候補は同一のＤＣＩペイロードサイズを有する。全てのサーチスペースが共有されたので、該当のＰＤＣＣＨは、ＣＣ別に構成されたサーチスペースのうちいずれのサーチスペースのＰＤＣＣＨ候補を通しても伝送することができる。すなわち、各ＰＤＣＣＨ候補は、ＣＣ別に構成された各サーチスペースのうちいずれを通しても伝送することができる。図面を参照すると、ＰＤＣＣＨ（ＣＩＦ＝ＣＣ  ＃２）は、ＣＣ  ＃１のためのサーチスペースを通して伝送され、ＰＤＣＣＨ（ＣＩＦ＝ＣＣ  ＃１）及びＰＤＣＣＨ（ＣＩＦ＝ＣＣ  ＃３）はＣＣ  ＃２のためのサーチスペースを通して伝送される。したがって、端末は、ＰＤＣＣＨ（又は各ＰＤＣＣＨ候補）（ＣＩＦ＝ＣＣ  ＃Ｘ）（Ｘ＝１、２、３）がＣＣ  ＃１のためのサーチスペース、ＣＣ  ＃２のためのサーチスペース又はＣＣ  ＃３のためのサーチスペースを通して伝送可能であるという仮定の下で、ＰＤＣＣＨ（ＣＩＦ＝ＣＣ  ＃Ｘ）（Ｘ＝１、２、３）を探すためにＣＣ  ＃１〜＃３のための各サーチスペースのＰＤＣＣＨ候補をブラインドデコーディングする。
【００９３】
図１１Ｂのケース２は、各サーチスペースが部分的に共有された場合を示す。便宜上、ＣＣ  ＃１／ＣＣ  ＃３のための各サーチスペースが共有されたと仮定する。すなわち、ＣＣ  ＃１／ＣＣ  ＃３のための各サーチスペースのＰＤＣＣＨ候補は同一のＤＣＩペイロードサイズを有し、ＣＣ  ＃２のためのサーチスペースのＰＤＣＣＨ候補は、これらとは異なるＤＣＩペイロードサイズを有する。図面を参照すると、ＰＤＣＣＨ（又は各ＰＤＣＣＨ候補）（ＣＩＦ＝ＣＣ  ＃３）は、共有されたサーチスペースのうちいずれのサーチスペースを通しても伝送することができる。したがって、端末は、ＰＤＣＣＨ（又は各ＰＤＣＣＨ候補）（ＣＩＦ＝ＣＣ  ＃３）がＣＣ  ＃１のためのサーチスペース又はＣＣ  ＃３のためのサーチスペースを通して受信可能であるという仮定の下で、ＣＣ  ＃１／ＣＣ  ＃３のための各サーチスペースのＰＤＣＣＨ候補をブラインドデコーディングする。一方、端末は、ＰＤＣＣＨ（ＣＩＦ＝ＣＣ  ＃２）を確認するために、ＣＣ  ＃２のための各サーチスペースのＰＤＣＣＨ候補のみをブラインドデコーディングする。
【００９４】
図１２は、図１１Ａと同一の状況で各ＤＬ  ＣＣの伝送モードが１、１、４に設定された場合にＰＤＣＣＨサーチスペースを構成する方法を例示する。
【００９５】
図１２を参照すると、基地局は、それぞれのＣＣ別にサーチスペースを構成し、全てのＣＣに対するＤＣＩフォーマットサイズを比較する。比較の結果、ＤＣＩフォーマット１Ａサイズが３個のＣＣに対して同一であるだけでなく、ＤＣＩフォーマット１の場合にも２個のＣＣに対してサイズが同一であり、ＤＣＩフォーマット２のみが唯一のサイズを有する。よって、基地局は、ＤＣＩフォーマット１Ａのための３個のサーチスペースを統合し、ＤＣＩフォーマット１のための２個のサーチスペースを統合する。したがって、基地局は、ＤＣＩフォーマット１Ａ（ＣＩＦ＝ＤＬ  ＣＣ  ＃Ｘ）（Ｘ＝１、２、３）をＤＬ  ＣＣ  ＃１のためのサーチスペース、ＤＬ  ＣＣ  ＃２のためのサーチスペース、ＤＬ  ＣＣ  ＃３のためのサーチスペースのうちいずれのサーチスペースのＰＤＣＣＨ候補を通しても伝送することができる。同様に、基地局は、ＤＣＩフォーマット１（ＣＩＦ＝ＤＬ  ＣＣ  ＃Ｘ）（Ｘ＝１、２）をＤＬ  ＣＣ  ＃１のためのサーチスペース、ＤＬ  ＣＣ  ＃２のためのサーチスペースのうちいずれのサーチスペースのＰＤＣＣＨ候補を通しても伝送することができる。一方、ＤＣＩフォーマット２の場合に唯一のサイズを有するので、このためのサーチスペースは共有されずにＣＣ別に運営される。すなわち、ＤＣＩフォーマット２（ＣＩＦ＝ＤＬ  ＣＣ  ＃３）は、ＤＬ  ＣＣ  ＃３のためのサーチスペースを通してのみ伝送することができる。
【００９６】
最大のブラインドデコーディング回数（ＭａｘＢＤ）を考慮してより具体的に説明する。ＭａｘＢＤが３６であるとき、ＤＣＩフォーマット１ＡのＢＤのためのサーチスペースは１８（＝６×３）個のＰＤＣＣＨ候補であって、図１１Ａの例示と同一である。ＤＣＩフォーマット１のサーチスペースは、それぞれのサーチスペースが統合・拡張された１２（＝６×２）個のＰＤＣＣＨ候補で構成することができ、ＤＣＩフォーマット２の場合は６個のＰＤＣＣＨ候補で構成される。一方、ＭａｘＢＤが２４に減少すると、ＤＣＩフォーマット当たりのＢＤ回数も減少しなければならない。ＤＣＩフォーマット当たりのＢＤ回数を同一に維持すると仮定すると、ＤＣＩフォーマット当たりのＢＤ回数は４になるので、ＤＣＩフォーマット１Ａ、１、２のためのサーチスペースはそれぞれ１２、８、４個のＰＤＣＣＨ候補で構成することができる。同様に、ＭａｘＢＤが１８である場合、ＤＣＩフォーマット１Ａ、１、２のためのＰＤＣＣＨ候補の個数はそれぞれ９、６、３になり得る。
【００９７】
図１３は、ＰＤＣＣＨサーチスペースを構成する他の方法を例示する。図１１〜図１２の各例示は、一つのＤＬ  ＣＣのみをＰＤＣＣＨモニタリングＤＬ  ＣＣに設定した場合を仮定したが、複数のＤＬ  ＣＣがＰＤＣＣＨモニタリングＤＬ  ＣＣセットに設定された場合も考慮することができる。ＰＤＣＣＨモニタリングＣＣセット内のＣＣの個数をＬとすると、図１３に示すように、（ＭａｘＢＤ）／ＬをモニタリングＣＣ当たりの最大許容ＢＤ回数に制限したり、又はモニタリングＣＣ別に（例えば、アンカーＤＬ  ＣＣ）異なるの加重値を付与（すなわち、モニタリングＣＣ当たりの最大許容ＢＤ回数を異なるように制限）し、提案方法を適用することができる。モニタリングＣＣの個数によるサーチスペース構成方式は、基地局が予め設定したり、ＭａｘＢＤ制限下で端末が自体的に自動設定することができる。
【００９８】
本方案によると、クロス―ＣＣスケジューリング時に同一サイズを有するＤＣＩ（フォーマット）が存在すると、モニタリングＤＬ  ＣＣ上で該当のＤＣＩ（フォーマット）に対するサーチスペースのサイズを該当のＤＣＩ（フォーマット）の個数に比例して大きく割り当てることができる。したがって、ＰＤＣＣＨスケジューリング自由度が増加し、これによってＰＤＣＣＨブロッキングを解消することができる。
【００９９】
（具体例２：クロス―ＣＣスケジューリングされた各ＰＤＣＣＨのためのサーチスペース縮小）
便宜上、特定ＣＣを通して伝送されるＰＤＣＣＨが該当のＣＣのデータチャンネルに対する資源割り当てを行う場合をセルフ―ＣＣ  ＰＤＣＣＨ、該当のＣＣでない他のＣＣのデータチャンネルに対する資源割り当てを行う場合をクロス―ＣＣ  ＰＤＣＣＨと定義する。この場合、特定ＣＣ、望ましくは、ＰＤＣＣＨモニタリングＤＬ  ＣＣでのＢＤ回数を減少させるために、セルフ―ＣＣ  ＰＤＣＣＨのためのサーチスペースとクロス―ＣＣ  ＰＤＣＣＨのためのサーチスペースを全て縮小させることができる。望ましくは、セルフ―ＣＣ  ＰＤＣＣＨのためのサーチスペースに比べてクロス―ＣＣ  ＰＤＣＣＨのためのサーチスペースをより大幅に縮小させることができる。また、セルフ―ＣＣ  ＰＤＣＣＨのためのサーチスペースは縮小させず、クロス―ＣＣ  ＰＤＣＣＨのためのサーチスペースのみを縮小させることもできる。
【０１００】
以下、図面を参照してより具体的に例示する。便宜上、以下の図面は、セルフ―ＣＣ  ＰＤＣＣＨのためのサーチスペースは縮小させず、クロス―ＣＣ  ＰＤＣＣＨのためのサーチスペースのみを縮小させる場合を示している。しかし、これは例示であって、以下の図面及び説明は、セルフ―ＣＣ  ＰＤＣＣＨのためのサーチスペースとクロス―ＣＣ  ＰＤＣＣＨのためのサーチスペースが全て縮小される場合、セルフ―ＣＣ  ＰＤＣＣＨのためのサーチスペースに比べてクロス―ＣＣ  ＰＤＣＣＨのためのサーチスペースがより大幅に縮小される場合などに制限なく適用することができる。
【０１０１】
図１４は、３個のＤＬ  ＣＣが併合された状況で、各ＤＬ  ＣＣでの伝送モードが１、３、４である場合にＰＤＣＣＨサーチスペースを構成する例示を示している。便宜上、全てのＣＣの帯域幅は同一であり、ＤＬ  ＣＣ  ＃１がＰＤＣＣＨモニタリングＤＬ  ＣＣに設定されたと仮定する。
【０１０２】
図１４を参照すると、３個のＣＣに対してＤＣＩフォーマット１Ａのサイズは同一であり、ＤＣＩフォーマット１、２Ａ、２の場合にそれぞれ唯一のサイズを有する。したがって、ＤＣＩフォーマット１Ａのための各サーチスペースは互いに共有することができる。図面において、ＭａｘＢＤ＝３６は、最大のブラインドデコーディング回数が減少していない場合を示す。この場合、ＤＣＩフォーマット当たりのＢＤ回数は６（＝３６／６）になり、ＤＣＩフォーマット１Ａ、１、２Ａ、２のためのサーチスペースはそれぞれ１８（＝６×３）、６、６、６個のＰＤＣＣＨ候補で構成される。一方、ＭａｘＢＤが２４に減少する場合、セルフ―ＣＣ  ＰＤＣＣＨに対するサーチスペースはそのまま維持し、クロス―ＣＣ  ＰＤＣＣＨに対するサーチスペースを縮小させることができる。一例として、セルフ―ＣＣ  ＰＤＣＣＨのサーチスペースに対するＣＣ当たり（例えば、ノン―モニタリングＤＬ  ＣＣ）のクロス―ＣＣ  ＰＤＣＣＨのサーチスペースのサイズ比率を２：１に設定することができる。この場合、セルフ―ＣＣ  ＰＤＣＣＨのサーチスペースは１２のＰＤＣＣＨ候補で構成され、ノン―モニタリングＣＣ当たりのクロス―ＣＣ  ＰＤＣＣＨのサーチスペースは６個のＰＤＣＣＨ候補で構成される。したがって、モニタリングＣＣのＤＣＩフォーマット当たりのＢＤ回数は６（＝１２／２）になるが、ノン―モニタリングＣＣのＤＣＩフォーマット当たりのＢＤ回数は３（＝６／２）になる。要約すると、ＤＣＩフォーマット１Ａの場合、３個のＣＣで全て使用されるので、合計１２（＝６＋３＋３）個のＰＤＣＣＨ候補でサーチスペースが構成される。一方、ＤＬ  ＣＣ  ＃１（モニタリング）のみで使用されるＤＣＩフォーマット１の場合は６個のＰＤＣＣＨ候補を有し、ＤＬ  ＣＣ  ＃２、＃３（ノン―モニタリング）のみで使用されるＤＣＩフォーマット２Ａ、２の場合はそれぞれ３個のＰＤＣＣＨ候補を有することができる。
【０１０３】
図１５は、図１４と同一の状況で、各ＤＬ  ＣＣでの伝送モードが１、１、４である場合、ＰＤＣＣＨのＢＤのためのサーチスペースを構成する例示を示している。便宜上、全てのＣＣの帯域幅は同一であり、ＤＬ  ＣＣ  ＃１がＰＤＣＣＨモニタリングＤＬ  ＣＣに設定されたと仮定する。
【０１０４】
図１５を参照すると、ＤＣＩフォーマット１Ａサイズが３個のＣＣに対して同一であるだけでなく、ＤＣＩフォーマット１の場合にも２個のＣＣに対してサイズが同一であり、ＤＣＩフォーマット２のみが唯一のサイズを有する。したがって、ＤＣＩフォーマット１Ａのための３個のサーチスペースを共有し、ＤＣＩフォーマット１のための２個のサーチスペースを共有することができる、図面において、ＭａｘＢＤ＝３６は、最大のブラインドデコーディング回数が減少していない場合を示す。この場合、ＤＣＩフォーマット当たりのＢＤ回数は６（＝３６／６）になり、ＤＣＩフォーマット１Ａ、１、２のためのサーチスペースはそれぞれ１８（＝６×３）、１２（＝６×２）、６個のＰＤＣＣＨ候補で構成される。一方、ＭａｘＢＤが２４に減少する場合、セルフ―ＣＣ  ＰＤＣＣＨに対するサーチスペースはそのまま維持し、クロス―ＣＣ  ＰＤＣＣＨに対するサーチスペースを縮小させることができる。一例として、セルフ―ＣＣ  ＰＤＣＣＨのサーチスペースに対するＣＣ当たり（例えば、ノン―モニタリングＤＬ  ＣＣ）のクロス―ＣＣ  ＰＤＣＣＨのサーチスペースのサイズ比率を２：１に設定することができる。この場合、セルフ―ＣＣ  ＰＤＣＣＨのサーチスペースは１２のＰＤＣＣＨ候補で構成され、ノン―モニタリングＣＣ当たりのクロス―ＣＣ  ＰＤＣＣＨのサーチスペースは６個のＰＤＣＣＨ候補で構成される。したがって、モニタリングＣＣのＤＣＩフォーマット当たりのＢＤ回数は６（＝１２／２）になるが、ノン―モニタリングＣＣのＤＣＩフォーマット当たりのＢＤ回数は３（＝６／２）になる。要約すると、ＤＣＩフォーマット１Ａの場合、３個のＣＣで全て使用されるので、合計１２（＝６＋３＋３）個のＰＤＣＣＨ候補でサーチスペースが構成される。同様に、ＤＣＩフォーマット１の場合、２個のＣＣで使用されるので、合計９（＝６＋３）個のＰＤＣＣＨ候補でサーチスペースが構成される。一方、ＤＬ  ＣＣ  ＃３（ノン―モニタリング）のみで使用されるＤＣＩフォーマット２の場合、３個のＰＤＣＣＨ候補を有することができる。
【０１０５】
（具体例３：情報（例えば、ＤＣＩ）サイズ単一化）
本方案は、制御チャンネルのスケジューリング自由度をより高めるために、互いに異なるサイズを有する複数の制御情報（例えば、ＤＣＩ）フォーマットを単一サイズでグループ化することを提案する。すなわち、各ＤＣＩフォーマットが互いに同一のサイズを有するようにＤＣＩサイズ単一化（又はＤＣＩサイズマッチング）を行うことができる。ＤＣＩサイズマッチングは、各ＤＣＩのサイズ差がしきい値以下である場合に制限することができる。例えば、ＤＣＩサイズマッチングは、各ＤＣＩのサイズ差が３ビット以下である場合に制限することができる。ＤＣＩサイズマッチングは、ビットパディングを用いて行うことができる。パディングビット（列）は、特定パターン又は特定値（例えば、０）を有することができる。一例として、パディングビット（列）は、ＤＣＩフォーマットを指示する値を有したり、エラーチェックのための特定値を有することができる。
【０１０６】
各ＤＣＩ（フォーマット）が単一サイズでグループ化される場合、これらのためのサーチスペースは具体例１に例示したように共有することができる。したがって、単一サイズでグループ化された各ＤＣＩ（フォーマット）の個数に比例してサーチスペースを拡張することができる。本方案の使用の可否及びパラメーターなどは、基地局で端末、端末グループ、セル別に設定したり、又は最大許容ＢＤ回数（ＭａｘＢＤ）内で端末が自体的に自動設定することができる。
【０１０７】
図１６は、３個のＤＬ  ＣＣが併合された状況で、各ＤＬ  ＣＣでの伝送モードが１、３、４である場合におけるＰＤＣＣＨのＢＤのためのサーチスペース構成例を示している。ここで、ＤＬ  ＣＣ  ＃１の帯域幅はＤＬ  ＣＣ  ＃２と同一であるが、ＤＬ  ＣＣ  ＃３とは異なり、ＤＬ  ＣＣ  ＃１がＰＤＣＣＨモニタリングＤＬ  ＣＣに設定されたと仮定する。したがって、２個のＣＣ（ＤＬ  ＣＣ  ＃１、＃２）に対してＤＣＩフォーマット１Ａのサイズは同一（単一化されたＦ１）であり、ＤＬ  ＣＣ  ＃３用のＤＣＩフォーマット１Ａ（フォーマット３―１Ａ）、そして、ＤＣＩフォーマット１、２Ａ、２の場合にそれぞれ唯一のサイズを有する。本例は、ＤＣＩサイズマッチングのためのしきい値が３ビットに設定された場合を仮定する。
【０１０８】
図１６を参照すると、ＭａｘＢＤが３６であり、ビットパディングがない場合、ＤＣＩフォーマット当たりのＢＤ回数は６になり、単一化されたＦ１（４０ビット）、フォーマット３―１Ａ（４４ビット）、１―１（４８ビット）、２―２Ａ（５３ビット）、３―２（５５ビット）のためのサーチスペースはそれぞれ１２（＝６×２）、６、６、６、６個のＰＤＣＣＨ候補で構成される。一方、ＭａｘＢＤが２４に減少し、ビットパディングを行う場合、パディング条件（すなわち、各ＤＣＩのサイズ差が３ビット以下である場合）を満足するＤＣＩフォーマットはフォーマット２―２Ａとフォーマット３―２になる（（フォーマット３―２：５５ビット）−（フォーマット２―２Ａ：５３ビット）＝２ビット＜３ビット）。したがって、フォーマット２―２Ａに２ビットをパディングし、フォーマット２―２Ａとフォーマット３―２を単一サイズでグループ化する（単一化されたＦ２）。ＤＣＩフォーマット当たりのＢＤ回数は４になるので、単一化されたＦ１、フォーマット１―１、単一化されたＦ２、フォーマット３―１Ａのためのサーチスペースはそれぞれ８（＝４×２）、４、８（＝４×２）、４個のＰＤＣＣＨ候補で構成することができる。結果的に、２個のＤＣＩ（フォーマット２―２Ａとフォーマット３―２）は一つのサイズでグループ化されたので、２倍に増加したサイズのサーチスペースを共有し、各ＤＣＩに対するスケジューリング自由度が約２倍に高くなり得る。
【０１０９】
図１６は、最大のブラインドデコーディング回数（ＭａｘＢＤ）が減少した場合にＤＣＩサイズ単一化（又はＤＣＩサイズマッチング）を行うことを説明している。しかし、これは、説明のための例示であって、本発明のＤＣＩサイズ単一化（又はＤＣＩサイズマッチング）は、ＭａｘＢＤの減少の可否と関係なく適用することができる。一方、ＤＣＩサイズの差がしきい値以下である３以上のＤＣＩに対しても単一サイズでＤＣＩサイズマッチングを行うことができる。また、複数のＤＣＩグループに対するグループ別ＤＣＩサイズマッチング（例えば、ビットパディング）も可能である。また、別途のＦＩ（Ｆｏｒｍａｔ  Ｉｎｄｉｃａｔｏｒ）ビットが追加されることを防止するために、ＤＣＩグループ内でＤＣＩフォーマットが設定されたＣＣは互いに排他的にすることができる。また、複数のＤＣＩグループが可能である場合、ＤＣＩフォーマットの数がより多いグループ、又は最大のＤＣＩフォーマットサイズとの差の和がより小さいグループに対して優先的にビットパディングを行うことができる。
【０１１０】
さらに、併合された各ＣＣに共通的に設定されたＤＣＩフォーマットが存在する場合、該当のＤＣＩフォーマットをそれぞれ全てのＣＣに対して単一サイズでグループ化したり、該当のＤＣＩフォーマットのうち一部のフォーマット（望ましくは、一つのフォーマット）のみを全てのＣＣに対して単一サイズでグループ化することができる。単一サイズでグループ化することは、例えば、ビットパディング、スケジューリング粒度（ｇｒａｎｕｌａｒｉｔｙ）の増加／減少などを含む。この場合、グループ化された各ＣＣのＤＣＩフォーマットは、それぞれのためのサーチスペースが統合された一つのサーチスペースを共有することができる。すなわち、グループ化された各ＣＣのＤＣＩフォーマットに対するＢＤは、拡張された一つのサーチスペース内で共通的に行うことができる。ここで、併合されたＣＣに共通的に設定されたＤＣＩフォーマットの数は一つ又は一つ以上であり得る。
【０１１１】
以上では、本発明がＤＬ  ＣＣに適用される場合を主に記述したが、以下では、ＵＬ  ＣＣも考慮し、ＰＤＣＣＨサーチスペースを構成する方法について具体的に説明する。説明の前に、ＤＬ／ＵＬ  ＣＣペア別に構成されたり、ＤＬ  ＣＣ又はＵＬ  ＣＣ別に構成されるそれぞれのサーチスペースのサイズは、該当のサーチスペースを通して伝送可能な最大のＰＤＣＣＨ数に比例して決定したり、又は加重値をおいて決定することができ、全てが同一であり得ることを明らかにしておく。また、便宜上、以下の図面は、伝送モードによってＤＬ  ＣＣ又はＵＬ  ＣＣ当たり１個のＤＣＩフォーマットが設定された場合を仮定したが、２個以上の複数のＤＣＩフォーマットが設定可能である場合を排除しない。また、既存のＬＴＥでのＤＣＩフォーマット０／１Ａのように、ＤＬ／ＵＬ共通ＤＣＩフォーマットも設定することができる。
【０１１２】
ＤＬ／ＵＬ  ＣＣを全て考慮したサーチスペースは、［方式１］ＤＬ  ＣＣのためのサーチスペースとＵＬ  ＣＣのためのサーチスペースを独立的に構成したり、［方式２］リンケージされたＤＬ／ＵＬ  ＣＣペア別に一つのサーチスペースを構成することができる。
【０１１３】
［方式１］ＤＬ  ＣＣのためのサーチスペースとＵＬ  ＣＣのためのサーチスペースを独立的に構成
図１７は、３個のＤＬ  ＣＣと２個のＵＬ  ＣＣが併合された非対称ＣＣアグリゲーションケースを示す。図１７を参照すると、それぞれのＤＬ  ＣＣのためのサーチスペース及びそれぞれのＵＬ  ＣＣのためのサーチスペースは独立的に構成される。この場合、ＤＬ／ＵＬとは関係なく同一のサイズを有する各ＤＣＩ（フォーマット）は、具体例１で説明したように各ＣＣに対応するサーチスペースを共有することができる。また、ＢＤ回数の減少及びスケジューリング自由度の増大のために具体例２及び３を共に／別途に適用することができる。
【０１１４】
［方式２］リンケージされたＤＬ／ＵＬ  ＣＣペア別に一つのサーチスペースを構成
１）リンケージされたＤＬ／ＵＬ  ＣＣペア別にサーチスペースを構成する。ＤＬ  ＣＣの個数とＵＬ  ＣＣの個数が互いに異なる非対称ＣＣアグリゲーションケースの場合、リンケージのないＣＣは、ＤＬ  ＣＣ又はＵＬ  ＣＣ別にサーチスペースを構成することができる。結果的に、構成されたサーチスペースの総数はＤＬ  ＣＣの総数及びＵＬ  ＣＣの総数のうち最大値と同一に対応することができる。同一のサイズを有するＤＬ／ＵＬ  ＤＣＩ（フォーマット）は、具体例１で説明したように各ＣＣペアに対応する各サーチスペースを共有することができる。また、ＢＤ回数の減少及びスケジューリング自由度の増大のために具体例２及び３を共に／別途に適用することができる。
【０１１５】
１―ａ）対称ＣＣアグリゲーションケース（すなわち、ＤＬ  ＣＣの個数＝ＵＬ  ＣＣの個数）：リンケージされたＤＬ／ＵＬ  ＣＣペア別にサーチスペースが構成される（図１８参照）。
【０１１６】
１―ｂ）ＤＬ―ヘビー（ｈｅａｖｙ）ＣＣアグリゲーションケース（すなわち、ＤＬ  ＣＣの個数＞ＵＬ  ＣＣの個数）：リンケージされたＤＬ／ＵＬ  ＣＣペア別にサーチスペースが構成され、リンケージのないＤＬ  ＣＣはＤＬ  ＣＣ別にサーチスペースが構成される（図１９参照）。
【０１１７】
１―ｃ）ＵＬ―ヘビー（ｈｅａｖｙ）ＣＣアグリゲーションケース（ＤＬ  ＣＣの数＜ＵＬ  ＣＣの数）：リンケージされたＤＬ／ＵＬ  ＣＣペア別にサーチスペースが構成され、リンケージのないＵＬ  ＣＣはＵＬ  ＣＣ別にサーチスペースが構成される。
【０１１８】
２）リンケージのないＣＣ（ＤＬ又はＵＬ）別に構成されたサーチスペースをタイプ―Ａ  ＳＳ、リンケージされたＤＬ／ＵＬ  ＣＣペア別に構成されたサーチスペースをタイプ―Ｂ  ＳＳとする場合、タイプ―Ａ  ＳＳのサイズをタイプ―Ｂ  ＳＳのサイズと同一に割り当てたり、相対的に小さく割り当てることができる。
【０１１９】
２―ａ）ＤＬ／ＵＬ区分なしに、ＣＣ当たりに最大１個のＰＤＳＣＨ／ＰＵＳＣＨをスケジューリング可能であると仮定する場合、望ましくは、図２０の例のように、タイプ―Ａ  ＳＳを通しては最大１個のＰＤＣＣＨ（ＤＬ又はＵＬスケジューリング）、タイプ―Ｂ  ＳＳを通しては最大２個のＰＤＣＣＨ（ＤＬ＋ＵＬスケジューリング）の伝送が可能であるので、タイプ―Ａ  ＳＳ：タイプ―Ｂ  ＳＳのサイズ比率を１：２に設定することができる。
【０１２０】
３）ＤＬ／ＵＬとは関係なく同一のサイズを有する各ＤＣＩフォーマットは、具体例１で説明したように該当の各サーチスペースを統合して共有する。
【０１２１】
４）ＢＤ回数の減少及びスケジューリング自由度の増大のために具体例２及び３を共に／別途に適用することができる。
【０１２２】
本発明では、ＰＤＣＣＨモニタリングＤＬ  ＣＣから端末に割り当てられた全てのＤＬ／ＵＬ  ＣＣに対するクロス―ＣＣスケジューリングが可能である場合を仮定したが、限定されたＤＬ／ＵＬ  ＣＣグループに対してのみクロス―ＣＣスケジューリングが可能になるように設定することができ、このようなクロス―ＣＣスケジューリング設定は各ＰＤＣＣＨモニタリングＤＬ  ＣＣ別に互いに異なり得る。また、ＰＤＣＣＨモニタリングＤＬ  ＣＣが複数である場合、まず、それぞれのモニタリングＣＣ上で同一サイズの各ＤＣＩ（フォーマット）は該当のサーチスペースを互いに共有することができ、モニタリングＣＣ間に対しても同一サイズの各ＤＣＩ（フォーマット）が存在する場合、該当の各サーチスペースを互いに共有することができる。モニタリングＣＣ間のサーチスペース共有は、クロス―ＣＣスケジューリング設定に制約を受けずに行うことができる。一方、ＢＤ減少のために、同一サイズの各ＤＣＩ（フォーマット）が共有するサーチスペースサイズを相対的により縮小させることができる。一例として、複数のＤＣＩ（フォーマット）サイズが互いに同一である場合、それぞれのＤＣＩ（フォーマット）のための各サーチスペースのうち一部（例えば、一つ）のサーチスペースのみを、これらＤＣＩ（フォーマット）が共有するサーチスペースとして割り当てたり、それぞれのＤＣＩ（フォーマット）のための複数のサーチスペースを一括的に縮小して一つの共有サーチスペースを構成することができる。また、同一サイズの各ＤＣＩ（フォーマット）が共有するサーチスペースのサイズ比率は、該当のサーチスペースを共有するＤＣＩ（フォーマット）の個数に比例して設定可能である。
【０１２３】
（シミュレーション）
同一サイズＤＣＩフォーマットに対するＳＳ共有の適用可否によってＰＤＣＣＨブロッキング確率が評価された。シミュレーション仮定を表５に示した。ＰＤＣＣＨスケジューリングのためのＣＣＥアグリゲーションレベル分布（％）を表６に示した。
【０１２４】
【表５】
0005869636.tif 000008
【０１２５】
【表６】
0005869636.tif 000009
図２１及び図２２は、端末別に２個のＣＣが併合され、ＰＤＣＣＨ  ＣＣのＢＷがそれぞれ１０ＭＨｚ、２０ＭＨｚである場合におけるＳＳ共有によるＰＤＣＣＨブロッキング確率を示す。図示したように、ＳＳ共有を適用していない場合に比べて、ＳＳ共有を適用した場合、全体のＰＤＣＣＨブロッキング確率が大きく減少（１０ＭＨｚ及び２０ＭＨｚで２５％及び３３％以上減少）することを確認することができる。
【０１２６】
図２３は、本発明の一実施例に適用可能な基地局及び端末を例示する。
【０１２７】
図２３を参照すると、無線通信システムは、基地局（ＢＳ）１１０及び端末（ＵＥ）１２０を含む。基地局１１０は、プロセッサ１１２、メモリ１１４及び無線周波数（Ｒａｄｉｏ  Ｆｒｅｑｕｅｎｃｙ：ＲＦ）ユニット１１６を含む。プロセッサ１１２は、本発明で提案した手順及び／又は各方法を具現するように構成することができる。メモリ１１４は、プロセッサ１１２と連結され、プロセッサ１１２の動作と関連した多様な情報を格納する。ＲＦユニット１１６は、プロセッサ１１２と連結され、無線信号を送信及び／又は受信する。端末１２０は、プロセッサ１２２、メモリ１２４及びＲＦユニット１２６を含む。プロセッサ１２２は、本発明で提案した手順及び／又は各方法を具現するように構成することができる。メモリ１２４は、プロセッサ１２２と連結され、プロセッサ１２２の動作と関連した多様な情報を格納する。ＲＦユニット１２６は、プロセッサ１２２と連結され、無線信号を送信及び／又は受信する。基地局１１０及び／又は端末１２０は、単一アンテナ又は多重アンテナを有することができる。
【０１２８】
以上説明した各実施例は、本発明の各構成要素と各特徴が所定形態で結合されたものである。各構成要素又は特徴は、別途の明示的な言及がない限り、選択的なものとして考慮しなければならない。各構成要素又は特徴は、他の構成要素や特徴と結合されていない形態で実施することができる。また、一部の構成要素及び／又は特徴を結合して本発明の実施例を構成することも可能である。本発明の各実施例で説明される各動作の順序は変更可能である。一つの実施例の一部の構成や特徴は他の実施例に含ませたり、又は他の実施例の対応する構成又は特徴に取り替えることができる。特許請求の範囲で明示的な引用関係のない各請求項を結合して実施例を構成したり、出願後の補正によって新しい請求項を含ませることが可能であることは自明である。
【０１２９】
本文書で、本発明の各実施例は、主に端末と基地局との間のデータ送受信関係を中心に説明した。本文書で基地局によって行われると説明した特定動作は、場合に応じてはその上位ノードによって行うことができる。すなわち、基地局を含む複数のネットワークノードからなるネットワークで端末との通信のために行われる多様な動作は、基地局又は基地局以外の他のネットワークノードによって行えることは自明である。基地局は、固定局、Ｎｏｄｅ  Ｂ、ｅＮｏｄｅ  Ｂ（ｅＮＢ）、アクセスポイントなどの用語に取り替えることができる。また、端末は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの用語に取り替えることができる。
【０１３０】
本発明に係る実施例は、多様な手段、例えば、ハードウェア、ファームウェア、ソフトウェア又はそれらの結合などによって具現することができる。ハードウェアによる具現の場合、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１３１】
ファームウェアやソフトウェアによる具現の場合、本発明の一実施例は、以上説明した機能又は各動作を行うモジュール、手順、関数などの形態で具現することができる。ソフトウェアコードは、メモリユニットに格納されてプロセッサによって駆動され得る。前記メモリユニットは、前記プロセッサの内部又は外部に位置し、既に公知となった多様な手段によって前記プロセッサとの間でデータを取り交わすことができる。
【０１３２】
本発明がその特徴を逸脱しない範囲で他の特定の形態で具体化され得ることは、当業者にとって自明である。したがって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０１３３】
本発明は、端末、リレー、基地局などの無線通信装置に使用可能である。
【図１】
0005869636.tif 000010
【図２】
0005869636.tif 000011
【図３】
0005869636.tif 000012
【図４】
0005869636.tif 000013
【図５】
0005869636.tif 000014
【図６】
0005869636.tif 000015
【図７】
0005869636.tif 000016
【図８】
0005869636.tif 000017
【図９】
0005869636.tif 000018
【図１０】
0005869636.tif 000019
【図１１Ａ】
0005869636.tif 000020
【図１１Ｂ】
0005869636.tif 000021
【図１２】
0005869636.tif 000022
【図１３】
0005869636.tif 000023
【図１４】
0005869636.tif 000024
【図１５】
0005869636.tif 000025
【図１６】
0005869636.tif 000026
【図１７】
0005869636.tif 000027
【図１８】
0005869636.tif 000028
【図１９】
0005869636.tif 000029
【図２０】
0005869636.tif 000030
【図２１】
0005869636.tif 000031
【図２２】
0005869636.tif 000032
【図２３】
0005869636.tif 000033